(57)【要約】      （修正有）【課題】画素ブロック毎に電子シャッター等の制御を行う場合における操作性について考慮された電子機器を提供する。【解決手段】電子機器（カメラ１）は、被写体を撮像する第１領域及び第２領域を有する撮像素子１００と、第１領域及び第２領域でそれぞれ撮像された被写体により、第１領域及び第２領域のうちいずれの領域が撮像条件の設定が可能な領域であるかを示す画像を表示部３６に表示させる制御部３５とを備える。【選択図】図１
2019071611.tif 000002
【特許請求の範囲】
【請求項１】
被写体を撮像する第１領域及び第２領域を有する撮像素子と、 
前記第１領域及び前記第２領域でそれぞれ撮像された被写体により、前記第１領域及び前記第２領域のうちいずれの領域が撮像条件の設定が可能な領域であるかを示す画像を表示部に表示させる制御部と、
を備える電子機器。
【請求項２】
前記制御部は、前記第１領域及び前記第２領域でそれぞれ撮像された被写体のうち、設定されている撮像シーンモードと関連する被写体を撮像した領域を撮像条件の設定が可能な領域として前記画像を前記表示部に表示させる請求項１に記載の電子機器。
【請求項３】
前記制御部は、前記第１領域及び前記第２領域でそれぞれ撮像された被写体のうち、フォーカスが合っている被写体を撮像した領域を撮像条件の設定が可能な領域として前記画像を前記表示部に表示させる請求項１に記載の電子機器。
【請求項４】
前記制御部は、前記第１領域及び前記第２領域でそれぞれ撮像された被写体のうち、前記電子機器の筐体までの距離が短い被写体を撮像した領域を撮像条件の設定が可能な領域として前記画像を前記表示部に表示させる請求項１に記載の電子機器。
【請求項５】
前記制御部は、前記第１領域及び前記第２領域でそれぞれ撮像された被写体のうち、所定値より低輝度または所定値より高輝度の被写体を撮像した領域を撮像条件の設定が可能な領域として前記画像を前記表示部に表示させる請求項１に記載の電子機器。
【請求項６】
前記制御部は、前記第１領域及び前記第２領域でそれぞれ撮像された被写体のうち、被写体に含まれる複数の物体間の距離差が小さい被写体を撮像した領域を撮像条件の設定が可能な領域として前記画像を前記表示部に表示させる請求項１に記載の電子機器。
【請求項７】
前記制御部は、前記第１領域及び前記第２領域でそれぞれ撮像された被写体のうち、被写体に含まれる複数の物体間の輝度差が大きい被写体を撮像した領域を撮像条件の設定が可能な領域として前記画像を前記表示部に表示させる請求項１に記載の電子機器。
【請求項８】
前記制御部は、前記第１領域及び前記第２領域でそれぞれ撮像された被写体のうち、画角の中心位置に近い被写体を撮像した領域を撮像条件の設定が可能な領域として前記画像を前記表示部に表示させる請求項１に記載の電子機器。
【請求項９】
被写体を撮像する第１領域及び第２領域を有する撮像素子と、
前記第１領域及び前記第２領域でそれぞれ撮像された被写体により、前記第１領域及び前記第２領域のうちいずれかの領域に対して撮像条件の設定が可能であることを示す画像を表示部に表示させる制御部と、
を備える電子機器。
【請求項１０】
前記制御部は、前記第１領域及び前記第２領域でそれぞれ撮像された被写体のうち、設
定されている撮像シーンモードと関連する被写体を撮像した領域に対して前記画像を前記表示部に表示させる請求項９に記載の電子機器。
【請求項１１】
前記制御部は、前記第１領域及び前記第２領域でそれぞれ撮像された被写体のうち、フォーカスが合っている被写体を撮像した領域に対して前記画像を前記表示部に表示させる請求項９に記載の電子機器。
【請求項１２】
前記制御部は、前記第１領域及び前記第２領域でそれぞれ撮像された被写体のうち、前記電子機器の筐体までの距離が短い被写体を撮像した領域に対して前記画像を前記表示部に表示させる請求項９に記載の電子機器。
【請求項１３】
前記制御部は、前記第１領域及び前記第２領域でそれぞれ撮像された被写体のうち、所定値より低輝度または所定値より高輝度の被写体を撮像した領域に対して前記画像を前記表示部に表示させる請求項９に記載の電子機器。
【請求項１４】
前記制御部は、前記第１領域及び前記第２領域でそれぞれ撮像された被写体のうち、被写体に含まれる複数の物体間の距離差が小さい被写体を撮像した領域に対して前記画像を前記表示部に表示させる請求項９に記載の電子機器。
【請求項１５】
前記制御部は、前記第１領域及び前記第２領域でそれぞれ撮像された被写体のうち、被写体に含まれる複数の物体間の輝度差が大きい被写体を撮像した領域に対して前記画像を前記表示部に表示させる請求項９に記載の電子機器。
【請求項１６】
前記制御部は、前記第１領域及び前記第２領域でそれぞれ撮像された被写体のうち、画角の中心位置に近い被写体を撮像した領域に対して前記画像を前記表示部に表示させる請求項９に記載の電子機器。
【発明の詳細な説明】
【技術分野】
【０００１】
本発明は、電子機器に関する。
【背景技術】
【０００２】
被写体の動き量に基づいて、撮像面を分割した画素ブロック毎に電子シャッターによる露光時間を制御可能な撮像装置が知られている（特許文献１参照）。
【先行技術文献】
【特許文献】
【０００３】
【特許文献１】特開２００６−１９７１９２号公報
【発明の概要】
【発明が解決しようとする課題】
【０００４】
画素ブロック毎に電子シャッター等の制御を行う場合における操作性については考慮されていなかった。
【課題を解決するための手段】
【０００５】
本発明の第１の態様によると、電子機器は、被写体を撮像する第１領域及び第２領域を有する撮像素子と、前記第１領域及び前記第２領域でそれぞれ撮像された被写体により、前記第１領域及び前記第２領域のうちいずれの領域が撮像条件の設定が可能な領域であるかを示す画像を表示部に表示させる制御部と、を備える。
本発明の第２の態様によると、電子機器は、被写体を撮像する第１領域及び第２領域を有する撮像素子と、前記第１領域及び前記第２領域でそれぞれ撮像された被写体により、前記第１領域及び前記第２領域のうちいずれかの領域に対して撮像条件の設定が可能であることを示す画像を表示部に表示させる制御部と、を備える。
【図面の簡単な説明】
【０００６】
【図１】一実施の形態によるカメラの構成を例示するブロック図である。
【図２】積層型撮像素子の断面図である。
【図３】撮像チップの画素配列と単位領域を説明する図である。
【図４】単位領域における回路を説明する図である。
【図５】図４の回路に対応する撮像素子の機能的構成を示すブロック図である。
【図６】カメラの撮像素子に結像される被写体の像を模式的に示す図である。
【図７】図７（ａ）〜図７（ｃ）は、撮像条件の設定画面を例示する図である。
【図８】領域ごとに撮像条件を設定して撮像する処理の流れを説明するフローチャートである。
【図９】４通りの表示パターンの一覧表示を例示する図である。
【図１０】変形例３による表示画面を例示する図である。
【図１１】変形例４による表示パターンの切り替えを説明する図である。
【図１２】図１２(ａ)〜図１２(ｃ)は、アイコンの組み合わせを例示する図である。
【図１３】図１３（ａ）は、ユーザーによる操作を例示する図である。図１３（ｂ）は、領域に対する撮像条件の設定画面を例示する図である。
【図１４】図１４（ａ）は、変形例５における撮像条件の設定画面を例示する図である。図１４（ｂ）は、変形例５における撮像条件の設定画面を例示する図である。
【図１５】図１５（ａ）は、ユーザーによる操作を例示する図である。図１５（ｂ）は、変形例５における撮像条件の設定画面を例示する図である。図１５（ｃ）は、変形例５に係る設定画面を例示する図である。
【図１６】図１６（ａ）は、変形例５における撮像条件の設定画面を例示する図である。図１６（ｂ）は、アイコンを操作中の設定画面を例示する図である。
【図１７】図１７（ａ）、図１７(b)は、長さが変化する矢印アイコンを説明する図である。
【図１８】図１８（ａ）、図１８（ｂ）は、アイコンを操作中の設定画面を例示する図である。
【図１９】領域に対する撮像条件の設定画面を例示する図である。
【図２０】図２０（ａ）は、複数の領域に対する撮像条件の設定画面を例示する図である。図２０（ｂ）は、複数の領域に対する撮像条件の設定画面を例示する図である。
【図２１】図２１（ａ）は、変形例６における撮像条件の設定画面を例示する図である。図２１（ｂ）は、変形例６における撮像条件の設定画面を例示する図である。
【図２２】図２２（ａ）、図２２（ｂ）は、変形例６における撮像条件の設定画面を例示する図である。
【図２３】図２３（ａ）、図２３（ｂ）は、変形例６における撮像条件の設定画面を例示する図である。
【図２４】図２４（ａ）、図２４（ｂ）は、変形例６における撮像条件の設定画面を例示する図である。
【図２５】図２５（ａ）〜図２５（ｅ）は、変形例６における撮像条件の設定画面を例示する図である。
【図２６】図２６（ａ）、図２６（ｂ）は、変形例６における撮像条件の設定画面を例示する図である。
【図２７】図２７（ａ）、図２７（ｂ）は、変形例６における撮像条件の設定画面を例示する図である。
【図２８】図２８（ａ）、図２８（ｂ）は、変形例６における撮像条件の設定画面を例示する図である。
【図２９】図２９（ａ）、図２９（ｂ）は、変形例６における撮像条件の設定画面を例示する図である。
【図３０】図３０（ａ）、図３０（ｂ）は、変形例６における撮像条件の設定画面を例示する図である。
【図３１】図３１（ａ）、図３１（ｂ）は、変形例６における撮像条件の設定画面を例示する図である。
【図３２】変形例７による撮像システムの構成を例示するブロック図である。
【図３３】モバイル機器へのプログラムの供給を説明する図である。
【発明を実施するための形態】
【０００７】
＜カメラの説明＞
図１は、一実施の形態による電子機器（例えば、カメラ１）の構成を例示するブロック図である。図１において、カメラ１は、撮像光学系３１と、撮像部３２と、画像処理部３３と、ワークメモリ３４と、制御部３５と、液晶モニタ３６と、操作部材３７と、不揮発性メモリ３８と、記録部３９とを有する。
【０００８】
撮像光学系３１は、被写界からの光束を撮像部３２へ導く。撮像部３２は、撮像素子１００および駆動部３２ａを含み、撮像光学系３１によって結像された被写体の像を光電変換する。駆動部３２ａは、撮像素子１００に蓄積制御を行わせるために必要な駆動信号を生成する。撮像部３２に対する蓄積時間などの撮像指示は、制御部３５から駆動部３２ａへ送信される。
【０００９】
画像処理部３３は、ワークメモリ３４と協働して撮像部３２で撮像された画像データに対する画像処理を行う。画像処理部３３には、例えば、輪郭強調処理、ガンマ補正、ホワイトバランス調整などが含まれる。
【００１０】
ワークメモリ３４は、画像処理前後の画像データなどを一時的に記録する。制御部３５は、例えばＣＰＵによって構成され、カメラ１による全体の動作を制御する。例えば、撮像部３２で取得された画像信号に基づいて所定の露出演算を行い、適正露出に必要な撮像素子１００の蓄積時間等を決定して駆動部３２ａへ指示する。
【００１１】
制御部３５には、物体検出部３５ａと、領域区分け部３５ｂと、設定部３５ｃと、撮像条件設定部３５ｄと、撮像制御部３５ｅと、ＡＦ演算部３５ｆとが含まれる。これらは、制御部３５が不揮発性メモリ３８に格納されているプログラムを実行することにより、ソフトウェア的に実現されるが、これらをＡＳＩＣ等により構成しても構わない。
【００１２】
物体検出部３５ａは、公知の物体認識処理を行うことにより、撮像部３２によって取得された画像から、人物（人物の顔）、犬、猫などの動物（動物の顔）、植物、自転車、自動車、電車などの乗物、建造物、静止物、山、雲などの風景、あらかじめ定められた特定の物体などの、被写体要素を検出する。
【００１３】
領域区分け部３５ｂは、撮像部３２による撮像画面を、上述のように検出した被写体要素を含む複数の領域に分割（区分け）する。設定部３５ｃは、領域区分け部３５ｂによって区分けされた複数の領域に序列をつける。序列の付け方については後述する。
【００１４】
撮像条件設定部３５ｄは、撮像素子１００の撮像条件を設定する。撮像条件は、後述するように、領域区分け部３５ｂによって区分けされた複数の領域ごとに設定可能である。撮像制御部３５ｅは、上記領域ごとに設定された撮像条件で、撮像素子１００の各領域を制御させる。すなわち、撮像制御部３５ｅは、撮像素子１００の単位領域ごとに異なる露光時間（蓄積時間）、ゲイン、フレームレート等で行う撮像を制御する。
【００１５】
ＡＦ演算部３５ｆは、撮像画面の所定の位置（フォーカスポイントと呼ぶ）で、対応する被写体に対してフォーカスを合わせる自動焦点調節（オートフォーカス：ＡＦ）演算を行う。ＡＦ演算部３５ｆは、ＡＦ演算結果に基づいて、撮像光学系３１のフォーカスレンズを合焦位置へ移動させるための駆動信号を送る。
なお、ＡＦ方式は、コントラスト検出方式でも、位相差検出方式でも構わない。
【００１６】
液晶モニタ３６は、画像処理部３３によって画像処理された画像や、記録部３９によって読み出された画像を再生表示する。液晶モニタ３６には、操作メニュー画面や、撮像条件を設定するための設定画面等も表示される。
【００１７】
操作部材３７は、レリーズボタンやメニューボタン等の種々の操作部材によって構成される。操作部材３７は、各操作に対応する操作信号を制御部３５へ送出する。操作部材３７には、液晶モニタ３６の表示面に設けられたタッチ操作部材も含まれる。
【００１８】
不揮発性メモリ３８は、制御部３５が実行するプログラム等を記録する。記録部３９は、制御部３５からの指示に応じて、不図示のメモリカードなどで構成される記録媒体に画像データなどを記録する。また、記録部３９は、制御部３５からの指示に応じて記録媒体に記録されている画像データを読み出す。
【００１９】
＜積層型撮像素子の説明＞
上述したカメラ１に備わる積層型撮像素子１００について説明する。なお、この積層型撮像素子１００は、本願出願人が先に出願し公開された国際公開ＷＯ１３／１６４９１５号に記載されているものである。図２は、積層型撮像素子１００の断面図である。撮像素子１００は、入射光に対応した画素信号を出力する裏面照射型撮像チップ１１３と、画素信号を処理する信号処理チップ１１１と、画素信号を記録するメモリチップ１１２とを備える。これら撮像チップ１１３、信号処理チップ１１１およびメモリチップ１１２は積層されており、Ｃｕ等の導電性を有するバンプ１０９により互いに電気的に接続される。
【００２０】
なお、図示するように、入射光は主に白抜き矢印で示すＺ軸プラス方向へ向かって入射する。本実施形態においては、撮像チップ１１３において、入射光が入射する側の面を裏面（撮像面）と称する。また、座標軸に示すように、Ｚ軸に直交する紙面左方向をＸ軸プラス方向、Ｚ軸およびＸ軸に直交する紙面手前方向をＹ軸プラス方向とする。以降のいくつかの図においては、図２の座標軸を基準として、それぞれの図の向きがわかるように座標軸を表示する。
【００２１】
撮像チップ１１３の一例は、裏面照射型のＭＯＳイメージセンサである。ＰＤ層１０６は、配線層１０８の裏面側に配されている。ＰＤ層１０６は、二次元的に配され、入射光に応じた電荷を蓄積する複数のＰＤ（フォトダイオード）１０４、および、ＰＤ１０４に対応して設けられたトランジスタ１０５を有する。
【００２２】
ＰＤ層１０６における入射光の入射側にはパッシベーション膜１０３を介してカラーフィルタ１０２が設けられる。カラーフィルタ１０２は、互いに異なる波長領域を透過する複数の種類を有しており、ＰＤ１０４のそれぞれに対応して特定の配列を有している。カラーフィルタ１０２の配列については後述する。カラーフィルタ１０２、ＰＤ１０４およびトランジスタ１０５の組が、一つの画素を形成する。
【００２３】
カラーフィルタ１０２における入射光の入射側には、それぞれの画素に対応して、マイクロレンズ１０１が設けられる。マイクロレンズ１０１は、対応するＰＤ１０４へ向けて入射光を集光する。
【００２４】
配線層１０８は、ＰＤ層１０６からの画素信号を信号処理チップ１１１に伝送する配線１０７を有する。配線１０７は多層であってもよく、また、受動素子および能動素子が設けられてもよい。
【００２５】
配線層１０８の表面には複数のバンプ１０９が配される。当該複数のバンプ１０９が信号処理チップ１１１の対向する面に設けられた複数のバンプ１０９と位置合わせされて、撮像チップ１１３と信号処理チップ１１１とが加圧等されることにより、位置合わせされたバンプ１０９同士が接合されて、電気的に接続される。
【００２６】
同様に、信号処理チップ１１１およびメモリチップ１１２の互いに対向する面には、複数のバンプ１０９が配される。これらのバンプ１０９が互いに位置合わせされて、信号処理チップ１１１とメモリチップ１１２とが加圧等されることにより、位置合わせされたバンプ１０９同士が接合されて、電気的に接続される。
【００２７】
なお、バンプ１０９間の接合には、固相拡散によるＣｕバンプ接合に限らず、はんだ溶融によるマイクロバンプ結合を採用してもよい。また、バンプ１０９は、例えば後述する一つのブロックに対して一つ程度設ければよい。したがって、バンプ１０９の大きさは、ＰＤ１０４のピッチよりも大きくてもよい。また、画素が配列された画素領域以外の周辺領域において、画素領域に対応するバンプ１０９よりも大きなバンプを併せて設けてもよい。
【００２８】
信号処理チップ１１１は、表裏面にそれぞれ設けられた回路を互いに接続するＴＳＶ（シリコン貫通電極）１１０を有する。ＴＳＶ１１０は、周辺領域に設けられることが好ましい。また、ＴＳＶ１１０は、撮像チップ１１３の周辺領域、メモリチップ１１２にも設けられてよい。
【００２９】
図３は、撮像チップ１１３の画素配列と単位領域１３１を説明する図である。特に、撮像チップ１１３を裏面（撮像面）側から観察した様子を示す。画素領域には例えば２０００万個以上もの画素がマトリックス状に配列されている。図３の例では、隣接する４画素×４画素の１６画素が一つの単位領域１３１を形成する。図の格子線は、隣接する画素がグループ化されて単位領域１３１を形成する概念を示す。単位領域１３１を形成する画素の数は、これに限られず１０００個程度、例えば３２画素×６４画素でもよいし、それ以上でもそれ以下でもよい。
【００３０】
画素領域の部分拡大図に示すように、図３の単位領域１３１は、緑色画素Ｇｂ、Ｇｒ、青色画素Ｂおよび赤色画素Ｒの４画素から成るいわゆるベイヤー配列を、上下左右に４つ内包する。緑色画素Ｇｂ、Ｇｒは、カラーフィルタ１０２として緑色フィルタを有する画素であり、入射光のうち緑色波長帯の光を受光する。同様に、青色画素Ｂは、カラーフィルタ１０２として青色フィルタを有する画素であって青色波長帯の光を受光し、赤色画素Ｒは、カラーフィルタ１０２として赤色フィルタを有する画素であって赤色波長帯の光を受光する。
【００３１】
本実施形態において、１ブロックにつき単位領域１３１を少なくとも１つ含むように複数のブロックが定義され、各ブロックはそれぞれ異なる制御パラメータで各ブロックに含まれる画素を制御できる。つまり、あるブロックに含まれる画素群と、別のブロックに含まれる画素群とで、撮像条件が異なる撮像信号を取得できる。制御パラメータの例は、フレームレート、ゲイン、間引き率、画素信号を加算する加算行数または加算列数、電荷の蓄積時間または蓄積回数、デジタル化のビット数（語長）等である。撮像素子１００は、行方向（撮像チップ１１３のＸ軸方向）の間引きのみでなく、列方向（撮像チップ１１３のＹ軸方向）の間引きも自在に行える。さらに、制御パラメータは、画素からの画像信号取得後の画像処理におけるパラメータであってもよい。
【００３２】
図４は、単位領域１３１における回路を説明する図である。図４の例では、隣接する３画素×３画素の９画素により一つの単位領域１３１を形成する。なお、上述したように単位領域１３１に含まれる画素の数はこれに限られず、これ以下でもこれ以上でもよい。単位領域１３１の二次元的な位置を符号Ａ〜Ｉにより示す。
【００３３】
単位領域１３１に含まれる画素のリセットトランジスタは、画素ごとに個別にオンオフ可能に構成される。図４において、画素Ａのリセットトランジスタをオンオフするリセット配線３００が設けられており、画素Ｂのリセットトランジスタをオンオフするリセット配線３１０が、上記リセット配線３００とは別個に設けられている。同様に、画素Ｃのリセットトランジスタをオンオフするリセット配線３２０が、上記リセット配線３００、３１０とは別個に設けられている。他の画素Ｄから画素Ｉに対しても、それぞれのリセットトランジスタをオンオフするための専用のリセット配線が設けられている。
【００３４】
単位領域１３１に含まれる画素の転送トランジスタについても、画素ごとに個別にオンオフ可能に構成される。図４において、画素Ａの転送トランジスタをオンオフする転送配線３０２、画素Ｂの転送トランジスタをオンオフする転送配線３１２、画素Ｃの転送トランジスタをオンオフする転送配線３２２が、別個に設けられている。他の画素Ｄから画素Ｉに対しても、それぞれの転送トランジスタをオンオフするための専用の転送配線が設けられている。
【００３５】
さらに、単位領域１３１に含まれる画素の選択トランジスタについても、画素ごとに個別にオンオフ可能に構成される。図４において、画素Ａの選択トランジスタをオンオフする選択配線３０６、画素Ｂの選択トランジスタをオンオフする選択配線３１６、画素Ｃの選択トランジスタをオンオフする選択配線３２６が、別個に設けられている。他の画素Ｄから画素Ｉに対しても、それぞれの選択トランジスタをオンオフするための専用の選択配線が設けられている。
【００３６】
なお、電源配線３０４は、単位領域１３１に含まれる画素Ａから画素Ｉで共通に接続されている。同様に、出力配線３０８は、単位領域１３１に含まれる画素Ａから画素Ｉで共通に接続されている。また、電源配線３０４は複数の単位領域間で共通に接続されるが、出力配線３０８は単位領域１３１ごとに個別に設けられる。負荷電流源３０９は、出力配線３０８へ電流を供給する。負荷電流源３０９は、撮像チップ１１３側に設けられてもよいし、信号処理チップ１１１側に設けられてもよい。
【００３７】
単位領域１３１のリセットトランジスタおよび転送トランジスタを個別にオンオフすることにより、単位領域１３１に含まれる画素Ａから画素Ｉに対して、電荷の蓄積開始時間、蓄積終了時間、転送タイミングを含む電荷蓄積を制御することができる。また、単位領域１３１の選択トランジスタを個別にオンオフすることにより、各画素Ａから画素Ｉの画素信号を共通の出力配線３０８を介して出力することができる。
【００３８】
ここで、単位領域１３１に含まれる画素Ａから画素Ｉについて、行および列に対して規則的な順序で電荷蓄積を制御する、いわゆるローリングシャッタ方式が公知である。ローリングシャッタ方式により行ごとに画素を選択してから列を指定すると、図４の例では「ＡＢＣＤＥＦＧＨＩ」の順序で画素信号が出力される。
【００３９】
このように単位領域１３１を基準として回路を構成することにより、単位領域１３１ごとに電荷蓄積時間を制御することができる。換言すると、単位領域１３１間で異なったフレームレートによる画素信号をそれぞれ出力させることができる。また、撮像チップ１１３において一部のブロックに含まれる単位領域１３１に電荷蓄積（撮像）を行わせる間に他のブロックに含まれる単位領域１３１を休ませることにより、撮像チップ１１３の所定のブロックでのみ撮像を行わせて、その画素信号を出力させることができる。さらに、フレーム間で電荷蓄積（撮像）を行わせるブロック（蓄積制御の対象ブロック）を切り替えて、撮像チップ１１３の異なるブロックで逐次撮像を行わせて、画素信号を出力させることもできる。
【００４０】
図５は、図４に例示した回路に対応する撮像素子１００の機能的構成を示すブロック図である。アナログのマルチプレクサ４１１は、単位領域１３１を形成する９個のＰＤ１０４を順番に選択して、それぞれの画素信号を当該単位領域１３１に対応して設けられた出力配線３０８へ出力させる。マルチプレクサ４１１は、ＰＤ１０４と共に、撮像チップ１１３に形成される。
【００４１】
マルチプレクサ４１１を介して出力された画素信号は、信号処理チップ１１１に形成された、相関二重サンプリング（ＣＤＳ）・アナログ／デジタル（Ａ／Ｄ）変換を行う信号処理回路４１２により、ＣＤＳおよびＡ／Ｄ変換が行われる。Ａ／Ｄ変換された画素信号は、デマルチプレクサ４１３に引き渡され、それぞれの画素に対応する画素メモリ４１４に格納される。デマルチプレクサ４１３および画素メモリ４１４は、メモリチップ１１２に形成される。
【００４２】
演算回路４１５は、画素メモリ４１４に格納された画素信号を処理して後段の画像処理部に引き渡す。演算回路４１５は、信号処理チップ１１１に設けられてもよいし、メモリチップ１１２に設けられてもよい。なお、図５では１つの単位領域１３１の分の接続を示すが、実際にはこれらが単位領域１３１ごとに存在して、並列で動作する。ただし、演算回路４１５は単位領域１３１ごとに存在しなくてもよく、例えば、一つの演算回路４１５がそれぞれの単位領域１３１に対応する画素メモリ４１４の値を順に参照しながらシーケンシャルに処理してもよい。
【００４３】
上記の通り、単位領域１３１のそれぞれに対応して出力配線３０８が設けられている。撮像素子１００は撮像チップ１１３、信号処理チップ１１１およびメモリチップ１１２を積層しているので、これら出力配線３０８にバンプ１０９を用いたチップ間の電気的接続を用いることにより、各チップを面方向に大きくすることなく配線を引き回すことができる。
【００４４】
＜撮像素子のブロック制御＞
本実施形態では、撮像素子１００（撮像チップ１１３）における複数のブロックごとに撮像条件を設定可能に構成する。制御部３５は、領域区分け部３５ｂによって区分けされた領域を上記ブロックに対応させて、領域ごとに撮像条件で撮像を行わせる。
【００４５】
図６は、カメラ１の撮像素子１００に結像される被写体の像を模式的に示す図である。カメラ１は、撮像指示が行われる前に、被写体像を光電変換してライブビュー画像を取得する。ライブビュー画像は、所定のフレームレート（例えば６０ｆｐｓ）で繰り返し撮像するモニタ用画像のことをいう。
【００４６】
制御部３５は、領域区分け部３５ｂによる区分け前は、撮像チップ１１３の全域（すなわち撮像画面の全体）に同一の撮像条件を設定する。区分け前の撮像条件は、被写体輝度の測光値に応じた露出条件、またはユーザーによって手動設定された露出条件に基づいて決定する。
【００４７】
図６において、撮像チップ１１３の撮像面に、人物６１ａと、自動車６２ａと、バッグ６３ａと、山６４ａと、雲６５ａ、６６ａとを含む像が結像されている。人物６１ａは、バッグ６３ａを両手で抱えている。人物６１ａの右後方に、自動車６２ａが止まっている。
【００４８】
制御部３５は、ライブビュー画像に基づき、以下のようにライブビュー画像の画面を複数の領域に区分けする。先ず、物体検出部３５ａによってライブビュー画像から被写体要素を検出する。被写体要素の検出は、公知の被写体認識技術を用いる。図６の例では、物体検出部３５ａが、人物６１ａと、自動車６２ａと、バッグ６３ａと、山６４ａと、雲６５ａと、雲６６ａとを被写体要素として検出する。
【００４９】
次に、領域区分け部３５ｂによって、ライブビュー画像の画面を上記被写体要素を含む領域に区分けする。本例では、人物６１ａを含む領域を第１領域６１とし、自動車６２ａを含む領域を第２領域６２とし、バッグ６３ａを含む領域を第３領域６３とし、山６４ａを含む領域を第４領域６４とし、雲６５ａを含む領域を第５領域６５とし、雲６６ａを含む領域を第６領域６６として説明する。
【００５０】
設定部３５ｃによって、領域区分け部３５ｂが区分けした複数の領域に対して序列をつける。設定部３５ｃは、領域区分け部３５ｂによって区分けされた領域のうち、次の（１）から（４）の領域を検出した場合、撮像条件を領域区分け部３５ｂによって区分けされた他の領域よりも優先的に変更する領域として設定する。
（１）撮像シーンモードに応じた特定の被写体が検出された領域
特定の被写体は、設定されたカメラ１の撮像シーンモードによって異なる。例えば、カメラ１の撮像シーンモード設定がポートレートモードに設定されている場合に、設定部３５ｃは、人物６１ａを含む第１領域６１に対して、自動車６２ａを含む領域を第２領域６２と、バッグ６３ａを含む領域を第３領域６３と、山６４ａを含む領域を第４領域６４と、雲６５ａを含む領域を第５領域６５と、雲６６ａを含む領域を第６領域６６よりも撮像条件を優先的に変更する領域として設定する。ポートレートモードの場合は、人物６１ａを含む第１領域６１の撮像条件を設定（変更）する可能性が高いという考え方に基づく。
【００５１】
例えば、カメラ１の撮像シーンモード設定が風景モードに設定されており、かつ、物体検出部３５ａにより被写体要素としてランドマークが検出されている場合において、設定部３５ｃは、ランドマークを含む領域に対して、撮像条件を優先的に変更する領域として設定する。風景モードの場合は、ランドマークを含む領域の撮像条件を設定（変更）する可能性が高いと考え方に基づく。
【００５２】
なお、物体検出部３５ａによってライブビュー画像からランドマークを検出する際に、不図示のＧＰＳ受信機から取得したカメラ１の位置情報を参照することによってライブビュー画像に含まれる可能性のあるランドマークを特定してもよいし、ユーザーが操作部材３７を操作することによって、ランドマークを指定してもよい。物体検出部３５ａは、位置情報に基づいて特定したランドマーク、またはユーザー操作によって指定されたランドマークを検出する。ランドマークは、例えば、山、滝、島、タワー、ビル等である。
カメラ１の撮像シーンモードの設定は、ユーザーが操作部材３７を操作することで設定されてもよいし、ライブビュー画像の画面から検出された被写体要素に基づいて制御部３７により設定されるようにしてもよい。
【００５３】
（２）フォーカスが合っている被写体要素を含む領域
上記フォーカスポイントに対応する被写体にフォーカスを合わせるＡＦ動作が行われた場合に、設定部３５ｃは、フォーカスが合っている被写体要素（すなわち、フォーカスポイントに対応する被写体要素）を含む領域に対して、フォーカスが合っていない被写体要素を含む領域よりも撮像条件を優先的に変更する領域として決定する。
なお、フォーカスが合っている被写体要素が存在しない場合には、フォーカスのずれ量が最も小さい被写体要素（すなわち、被写体要素の位置からフォーカスが合う位置までが最も近い被写体要素）を含む領域を、撮像条件を優先的に変更する領域として決定するようにしてもよい。
【００５４】
（３）最小輝度または最大輝度である被写体要素を含む領域
設定部３５ｃは、物体検出部３５ａにより検出されている複数の被写体要素のうち、明るさが最も暗い被写体要素、または最も明るい被写体要素を含む領域を、他の領域よりも撮像条件を優先的に変更する領域として決定する。黒つぶれのような暗すぎる被写体要素や、白とびのような明るすぎる被写体要素は、撮像条件を設定（変更）する可能性が高いと考え方に基づく。
【００５５】
（４）カメラ１に対して最も近い被写体要素を含む領域
設定部３５ｃは、カメラ１に至近の被写体要素を含む領域に対して、撮像条件を遠方の被写体要素よりも優先的に変更する領域として決定する。例えば、制御部３５は、カメラ１から区分けされた被写体要素までの距離情報を取得し、カメラ１に至近の被写体要素を含む領域を決定する。また、制御部３５は、距離情報を得られない場合は、画面を占める割合が最大の被写体要素を含む領域をカメラ１に至近の被写体要素として決定するようにしてもよい。
【００５６】
設定部３５ｃは、領域区分け部３５ｂによって区分けされた領域のうち、次の（５）から（９）の領域を検出した場合、上述した（１）から（４）の領域よりも序列を低くして、撮像条件を変更する領域として決定する。
【００５７】
（５）フォーカスのずれ量が最も小さい被写体要素を含む領域
上記フォーカスポイントに対応する被写体にフォーカスを合わせるＡＦ動作が行われた場合に、設定部３５ｃは、物体検出部３５ａにより検出されている複数の被写体要素のうち、フォーカスが合っている被写体要素を含む領域以外の領域のうち最もフォーカスのずれ量が小さい被写体要素を含む領域を、他の領域よりも撮像条件を優先的に変更する領域として設定する。一般に、フォーカスのずれ量が小さいほど被写体要素の輪郭の尖鋭度が高くなるので、輪郭の尖鋭度が高い被写体要素はフォーカスのずれ量が小さいといえる。設定部３５ｃは、輪郭の尖鋭度が高い被写体要素を含む領域を、撮像条件を輪郭の尖鋭度が低い領域よりも優先的に変更する領域として設定する。
【００５８】
（例１）
例えば、図６において、ＡＦ演算部により第１領域６１に対してＡＦ動作が行われたことによって人物６１ａにフォーカスが合っている場合を想定する。設定部３５ｃは、自動車６２ａと、バッグ６３ａと、山６４ａと、雲６５ａと、雲６６ａとのうち、フォーカスのずれ量が最も小さい被写体要素（すなわち、フォーカスが合っている人物６１ａの位置から最も近い位置にあるバッグ６３ａ）を含む第３領域６３を、人物６１ａを含む第１領域６１に次いで撮像条件を優先的に変更する領域として設定する。人物６１ａを含む第１領域６１に次いで、バッグ６３ａを含む第３領域６３の撮像条件が設定（変更）される可能性が高いという考え方に基づく。
【００５９】
（例２）
例えば、図６において、ＡＦ演算部により人物６１ａと自動車６２ａとの間にフォーカスが合っている場合を想定する。設定部３５ｃは、自動車６２ａと、バッグ６３ａと、山６４ａと、雲６５ａと、雲６６ａとのうち、フォーカスのずれ量が最も小さい被写体要素（すなわち、フォーカスが合っている位置から最も近い位置にある自動車６２ａ）を含む第２領域６２を、人物６１ａを含む第１領域６１に次いで撮像条件を優先的に変更する領域として設定する。人物６１ａを含む第１領域６１に次いで、自動車６２ａを含む第２領域６２の撮像条件が設定（変更）される可能性が高いという考え方に基づく。
【００６０】
（６）距離差が小さい被写体要素を含む領域
設定部３５ｄは、カメラ１から被写体要素までの距離の差に基づいて序列を設定する。例えば、図６において、第１領域６１に対してＡＦ動作が行われたことによって人物６１ａにフォーカスが合っている場合を想定する。この場合、設定部３５ｄは、自動車６２ａと、バッグ６３ａと、山６４ａと、雲６５ａと、雲６６ａとのうち、カメラ１からの距離が、カメラ１から人物６１ａまでの距離に近い（距離差が小さい）被写体要素を含む領域ほど、撮像条件を優先的に変更する領域として設定する。
【００６１】
（７）輝度差が大きい被写体要素を含む領域
例えば、図６において、第１領域６１に対してＡＦ動作が行われたことによって人物６１ａにフォーカスが合っている場合を想定する。設定部３５ｃは、自動車６２ａと、バッグ６３ａと、山６４ａと、雲６５ａと、雲６５ａと、雲６６ａとのうち、人物６１ａとの間で輝度差が最も大きい被写体要素を含む領域を、人物６１ａを含む第１領域６１に次いで撮像条件を優先的に変更する領域として設定する。例えば、人物６１ａとの間で山６４ａの輝度差が最大である場合、設定部３５ｃは、山６４ａを含む第４領域６４を、人物６１ａを含む第１領域６１に次いで撮像条件を優先的に変更する領域として設定する。人物６１ａとの間で輝度差が大きな被写体要素を含む領域は、撮像条件が設定（変更）される可能性が高いという考え方に基づく。
【００６２】
（８）大きい被写体要素を含む領域
被写体要素を含む領域間のフォーカスのずれ量の差の大小関係が乏しく、領域間で輝度差の大小関係も乏しい場合には、設定部３５ｃは、他の被写体要素に比べて大きな被写体要素を含む領域、換言すると画面内の占有面積が大きいほど、序列を高くする。
【００６３】
（９）画面の中央に近い被写体要素を含む領域
被写体要素を含む領域間のフォーカスのずれ量の差の大小関係が乏しく、領域間で輝度差の大小関係も乏しい場合には、設定部３５ｃは、画面の中央に近い被写体要素を含む領域ほど、序列を高くする。
本実施形態では、ユーザーが操作部材３７を操作することによって、上記（５）から（９）のいずれか一つがあらかじめ選択されるようにしてもよい。また、上記（５）から（９）のうち複数を組み合わせるようにしてもよい。
【００６４】
以上の手順により、設定部３５ｃが第２領域６３〜第６領域６６に対して序列をつける。例えば、大きな被写体要素である自動車６２ａを含む第２領域６２を２位とし、バッグ６３ａを含む第３領域６３を３位とし、山６４ａを含む第４領域６４を４位とし、雲６５ａを含む第５領域６５を５位とし、雲６６ａを含む第６領域６６を６位とする。
【００６５】
設定部３５ｃは、上記（５）〜（９）による処理を経てもなお序列がつけられない領域については、同等の序列を有するものとして扱う。
【００６６】
制御部３５は、領域区分け部３５ｂによって画面を複数の領域に区分けすると、図７（ａ）に例示するような設定画面を液晶モニタ３６に表示させる。図７（ａ）において、ライブビュー画像６０ａが表示され、ライブビュー画像６０ａの右側に撮像条件の設定画面７０が表示される。
【００６７】
設定画面７０には、撮像条件の設定項目の一例として、上から順にフレームレート、シャッタースピード（ＴＶ）、ゲイン（ＩＳＯ）が挙げられている。フレームレートは、１秒間に取得するライブビュー画像やカメラ１により録画される動画像のフレーム数である。ゲインは、ＩＳＯ感度である。撮像条件の設定項目は、図７（ａ）に例示した他にも適宜加えて構わない。全ての設定項目が設定画面７０の中に収まらない場合は、設定項目を上下にスクロールさせることによって他の設定項目を表示させるようにしてもよい。
【００６８】
図７（ａ）において、第１領域〜第６領域のうち輪郭を強調して表示（太く表示、明るく表示、色を変えて表示、破線で表示、点滅表示等）する領域は、撮像条件の設定（変更）の対象となる領域を示す。図７（ａ）の例では、第１領域６１の輪郭を強調したライブビュー画像６０ａが表示されているので、第１領域６１が、撮像条件の設定（変更）の対象である。例えば、タッチ操作が可能なカメラ１においては、ユーザーによってシャッタースピード（ＴＶ）の表示７１がタップ操作されると、撮像条件設定部３５ｄは、強調して表示されている領域（第１領域６１）に対するシャッタースピードの現設定値を画面内に表示させる（符号６８）。
以後の説明では、カメラ１はタッチ操作を前提として説明を行うが、操作部材３７を構成するボタン等の操作により、撮像条件の設定（変更）を行うようにしてもよい。
【００６９】
シャッタースピード（ＴＶ）の上アイコン７１ａまたは下アイコン７１ｂがユーザーによってタップ操作されると、撮像条件設定部３５ｄは、シャッタースピードの表示６８を現設定値から上記タップ操作に応じて増減させるとともに、強調して表示されている領域（第１領域６１）に対応する撮像素子１００の単位領域１３１（図３）の撮像条件を、上記タップ操作に応じて変更するように撮像部３２（図１）へ指示を送る。決定アイコン７２は、設定された撮像条件を確定させるための操作アイコンである。撮像条件設定部３５ｄは、フレームレートやゲイン（ＩＳＯ）の設定（変更）についても、シャッタースピード（ＴＶ）の設定（変更）の場合と同様に行う。
【００７０】
なお、撮像条件設定部３５ｄは、ユーザーの操作に基づいて、撮像条件を設定するように説明したが、これに限定されない。撮像条件設定部３５ｄは、ユーザーの操作に基づかず、制御部３５の判断により、撮像条件を設定するようにしてもよい。上述した（３）最小輝度または最大輝度である被写体要素を含む領域において、白とびまたは黒つぶれが生じている場合、撮像条件設定部３５ｄは、制御部３５の判断により、白とびまたは黒つぶれを解消するように撮像条件を設定するようにしてもよい。
強調表示されていない領域（第１領域６１以外の他の領域）については、設定されている撮像条件が維持される。
【００７１】
制御部３５は、撮像条件の設定（変更）の対象となる領域の輪郭を強調表示する代わりに、対象領域全体を明るく表示させたり、対象領域全体のコントラストを高めて表示させたり、対象領域全体を点滅表示させたりしてもよい。また、対象領域を枠で囲ってもよい。対象領域を囲う枠の表示は、二重枠や一重枠でもよく、囲う枠の線種、色や明るさ等の表示態様は、適宜変更して構わない。また、制御部３５は、対象領域の近傍に矢印などの撮像条件の設定の対象となる領域を指し示す表示をしてもよい。制御部３５は、撮像条件の設定（変更）の対象となる対象領域以外を暗く表示させたり、対象領域以外のコントラストを低めて表示させたりしてもよい。
【００７２】
制御部３５はさらに、上記第１領域〜第６領域に対して表示用の区分けを行う（表示パターンを作成する）とともに、表示パターンに対して序列をつける。まず、表示用の区分け（表示パターン）について説明する。
表示用の区分け（表示パターン）は、例えば、序列１位の領域を単独で表示する表示パターン、序列１位と序列２位の領域とを組み合わせて表示する表示パターン、序列１位と序列２位と序列３位の領域とを組み合わせて表示する表示パターン、序列１位と序列３位の領域とを組み合わせて表示する表示パターン、序列２位の領域を単独で表示する表示パターン、序列３位の領域を単独で表示する表示パターン、等の様に序列をつけた領域の数によって表示パターンは幾通りも作成される。
【００７３】
次に、作成された表示パターンに序列をつける方法について説明する。例えば、上述のようにシーンモードの設定が「ポートレート」の場合、ユーザーは人物の撮像条件を設定したいことが考えられるため、序列１位の領域は人物となる。さらに、表示パターンに序列をつける際に、序列１位の領域が含まれる表示パターンの方が、序列１位の領域を含まない表示パターンより序列が上位になると考えられる。従って、序列１位の領域を単独で表示する表示パターンを第１パターン、序列１位と序列２位の領域とを組み合わせて表示する表示パターンを第２パターン、序列１位と序列２位と序列３位の領域とを組み合わせて表示する表示パターンを第３パターンという様に序列がつけられる。または、序列１位の領域を単独で表示する表示パターンを第１パターン、序列１位と序列２位の領域とを組み合わせて表示する表示パターンを第２パターン、序列１位と序列３位の領域とを組み合わせて表示する表示パターンを第３パターンという様に表示パターンに序列をつけてもよい。
【００７４】
また、例えば、シーンモードの設定が「ポートレート」の場合において、被写体の人物が３人並んでいる様子を撮像するシーンを想定する。物体検出部３５ａは、人物の３人を個々に判別し、領域を作成する。そして、序列決定部３５ｃは、フォーカスポイントの位置、撮像装置から至近の位置、画面の中央に近い位置、など上述した方法により、それぞれの領域に序列を、序列１位、２位、３位と設定する。この様に、序列をつけた領域がどれも人物である場合においては、序列１位の領域を単独で表示する表示パターンを第１パターン、序列２位の領域を単独で表示する表示パターンを第２パターン、序列３位の領域を単独で表示する表示パターンを第３パターンという様に表示パターンに序列をつけてもよい。ここでは、人物３人を撮像する場合を例に挙げたが、この様な表示パターンに序列をつける方法は、人物の撮像に限らない。
【００７５】
第１パターンは、序列１位の第１領域６１を単独で表示するので単独表示パターンに相当し、第２パターンおよび第３パターンは、それぞれ序列１位の第１領域６１と他の領域とを組み合わせて表示するので複合表示パターンに相当する。
ここで、全撮像画像の中の被写体要素の数による領域の区分けについて説明する。
制御部３５は、物体検出部３５ａによって検出されている被写体要素の数が所定数より少ない場合において被写体要素毎に単独領域として区分けをする。物体検出部３５ａによって検出されている被写体要素の数が所定数より多い場合には、単独領域と単独領域を組み合わせた複合領域とに区分けしてもよい。または、複合領域と複合領域とに区分けしてもよい。例えば、旅行の集合写真の場合、制御部３５が認識した人物ごとに単独領域を設定すると領域の数が多くなり、撮像条件の設定に時間を要する。そのため、単独領域を組み合わせて、被写体人物を全体として1つの領域（複合領域）として設定すると、撮像条
件の設定は複合領域についてのみ行えばよく、時間を短縮することが可能となる。
【００７６】
図７（ａ）においてライブビュー画像６０ａの下部に表示されているマーク６９は、表示パターンが複数作成されている（すなわち、表示用の区分けが行われた）ことを示す。図７（ａ）の例では、マーク６９を構成する３つの丸印により、表示パターンが３つ設けられていることが示される。制御部３５は、表示パターンの数に合わせて、表示パターンを自動的に作成する（すなわち、表示用の区分けを行う）。つまり、制御部３５は、表示パターンの数が３である場合には３通りの表示パターンを作成する。
なお、表示パターンの数は、ユーザーが操作部材３７を操作することによってあらかじめ設定可能に構成してもよい。
【００７７】
本実施形態では、制御部３５が、表示パターンに対して第１パターン、第２パターン、第３パターンの順に序列をつける。そして、液晶モニタ３６に領域を表示させる場合には、序列が高い表示パターンを優先して表示させる。すなわち、図７（ａ）に例示したように、１番最初に序列１位の第１パターンを液晶モニタ３６に表示させる。マーク６９の１番左が黒塗りされることにより、３通りの表示パターンのうち序列１位を表示していることが示される。
【００７８】
例えば、図７（ａ）の表示画面上でユーザーが指で左方向へスライド操作した場合、制御部３５は、図７（ｂ）に例示するように序列２位の第２パターンを液晶モニタ３６に表示させる。図７（ｂ）によれば、第１領域６１および第２領域６２の輪郭をそれぞれ強調したライブビュー画像６０ｂが表示されている。また、マーク６９の左から２番目が黒塗りされることにより、３通りの表示パターンのうち序列２位を表示していることが示される。
【００７９】
シャッタースピード（ＴＶ）の上アイコン７１ａまたは下アイコン７１ｂがユーザーによってタップ操作されると、撮像条件設定部３５ｄは、シャッタースピードの表示６８を現設定値から上記タップ操作に応じて増減させるとともに、強調して表示されている領域（第１領域６１または第２領域６２）に対応する撮像素子１００の単位領域１３１（図３）の撮像条件を、上記タップ操作に応じて変更するように撮像部３２（図１）へ指示を送る。撮像条件の設定は序列の領域の順に行うが、タップ操作などのユーザーの意図により、撮像条件の設定を行う領域の順番は変更してもよい。
【００８０】
例えば、図７（ｂ）の表示画面上で左方向へスライド操作された場合、制御部３５は、図７（ｃ）に例示するように序列３位の第３パターンを液晶モニタ３６に表示させる。図７（ｃ）によれば、第１領域６１、第２領域６２および第３領域６３の輪郭をそれぞれ強調したライブビュー画像６０ｃが表示されている。また、マーク６９の左から３番目が黒塗りされることにより、３通りの表示パターンのうち序列３位を表示していることが示される。
【００８１】
シャッタースピード（ＴＶ）の上アイコン７１ａまたは下アイコン７１ｂがユーザーによってタップ操作されると、撮像条件設定部３５ｄは、シャッタースピードの表示６８を現設定値から上記タップ操作に応じて増減させるとともに、強調して表示されている領域（第１領域６１、第２領域６２または第３領域６３）に対応する撮像素子１００の単位領域１３１（図３）の撮像条件を、上記タップ操作に応じて変更するように撮像部３２（図１）へ指示を送る。撮像条件の設定は序列の領域の順に行うが、タップ操作などのユーザーの意図により、撮像条件の設定を行う領域の順番は変更してもよい。
【００８２】
なお、図７（ｂ）または図７（ｃ）の表示画面上で右方向へスライド操作された場合、制御部３５は、上述した説明とは逆に、序列が高い表示パターンを液晶モニタ３６に表示させる。
【００８３】
以上説明したように領域（単独領域または複合領域）ごとに撮像条件が設定された後に、操作部材３７を構成する不図示のレリーズボタン、または撮像開始を指示する表示が操作されると、制御部３５は、上記区分けされた領域の各々に対して設定された撮像条件で撮像された画像データを生成し、不図示のメモリカードなどで構成される記録媒体に記録させる。
【００８４】
＜フローチャートの説明＞
図８は、領域（単独領域または複合領域）ごとに撮像条件を設定して撮像する処理の流れを説明するフローチャートである。カメラ１のメインスイッチがオン操作されると、制御部３５は、図８に示す処理を実行するプログラムを起動させる。ステップＳ１０において、制御部３５は、液晶モニタ３６にライブビュー表示を開始させて、ステップＳ２０へ進む。
【００８５】
具体的には、制御部３５が撮像部３２へライブビュー画像の取得開始を指示し、取得されたライブビュー画像を逐次液晶モニタ３６に表示させる。上述したように、この時点では撮像チップ１１３の全域、すなわち画面の全体に同一の撮像条件が設定されている。
なお、ライブビュー表示中にＡＦ動作を行う設定がなされている場合、制御部３５（ＡＦ演算部３５ｆ）は、所定のフォーカスポイントに対応する被写体要素にフォーカスを合わせるＡＦ動作を制御する。また、ライブビュー表示中にＡＦ動作を行う設定がなされていない場合、制御部３５（ＡＦ演算部３５ｆ）は、後にＡＦ動作が指示された時点でＡＦ動作を行う。
【００８６】
ステップＳ２０において、制御部３５（物体検出部３５ａ）は、ライブビュー画像から被写体要素を検出してステップＳ３０へ進む。ステップＳ３０において、制御部３５（領域区分け部３５ｂ）は、ライブビュー画像の画面を、被写体要素を含む領域に区分けしてステップＳ４０へ進む。
【００８７】
ステップＳ４０において、制御部３５（設定部３５ｃ）は、ステップＳ３０で区分けした複数の領域に対し、上述した（１）〜（１１）の手順により序列をつけてステップＳ５０へ進む。
【００８８】
ステップＳ５０において、制御部３５は、ステップＳ３０で区分けした複数の領域について、表示パターンを作成（すなわち、表示用の区分けをする）する。制御部３５は、上述したように、表示パターンの数に合わせて領域の表示パターンを作成し、ステップＳ６０へ進む。図７（ａ）〜図７（ｃ）には、第１領域６１の輪郭を強調した第１パターン（単独表示パターン）、第１領域６１と第２領域６２の輪郭を強調した第２パターン（複合表示パターン）、さらに、第１領域６１と第２領域６２と第３領域６３の輪郭を強調した第３パターン（複合表示パターン）の３通りの表示パターンを例示した。４通り以上の表示パターンを作成する場合、制御部３５は、例えば第１領域６１と第２領域６２と第４領域６４の輪郭を強調する第４パターン（複合表示パターン）や、第１領域６１と第２領域６２と第３領域６３と第４領域６４と第５領域６５と第６領域６６の輪郭を強調する第５パターン（複合表示パターン）や、第２領域６２と第３領域６３と第４領域６４を強調する第６パターン（複合表示パターン）など、撮像条件の設定（変更）の対象とする領域を多様に組み合わることによって、複数通りの表示パターンを作成する。または、第４領域と第５領域と第６領域を組み合わせて1つの複合領域１とし、第１領域６１と第２領域６２と複合領域１の輪郭を強調する第７パターン（複合表示パターン）としてもよい。
【００８９】
ステップＳ６０において、制御部３５は、ステップＳ５０で生成した複数の表示パターン（すなわち、表示用の区分け後の領域）に対し、序列をつけてステップＳ７０へ進む。制御部３５は、通常、上記第１パターンを序列１位とする。また、制御部３５は、上記第２パターンを序列２位とする。さらに、制御部３５は、上記第３パターンを序列３位とする。制御部３５は、第４パターン以降について、第４パターンを序列４位とし、第５パターンを序列５位とする。このような序列は、制御部３５が設定する。
【００９０】
ステップＳ７０において、制御部３５は、序列の順番に領域の表示を行う。図７（ａ）に例示したように、序列１位の第１パターンでライブビュー画像６０ａを表示させるとともに、撮像条件の設定画面７０を液晶モニタ３６に表示させてステップＳ８０へ進む。制御部３５は、ユーザーの指で表示画面上がスライド操作されると、図７（ｂ）、図７（ｃ）に例示したように序列が異なる他の表示パターンを液晶モニタ３６に表示させる。
【００９１】
ステップＳ８０において、制御部３５は、ＡＦ動作が必要か否かを判定する。制御部３５は、例えば、被写体が動いたことによって焦点調節状態が変化した場合や、ユーザー操作によってフォーカスポイントの位置が変更された場合、またはユーザー操作によってＡＦ動作の実行が指示された場合に、ステップＳ８０を肯定判定してステップＳ８５へ進む。制御部３５は、焦点調節状態が変化せず、ユーザー操作によりフォーカスポイントの位置が変更されず、ユーザー操作によってＡＦ動作の実行も指示されない場合には、ステップＳ８０を否定判定してステップ９０へ進む。
【００９２】
ステップＳ８５において、制御部３５は、ＡＦ動作を行わせてステップＳ４０へ戻る。ステップＳ４０へ戻った制御部３５は、ＡＦ動作後に取得されるライブビュー画像に基づき、上述した処理と同様の処理を繰り返す。
【００９３】
ステップＳ９０において、制御部３５（撮像条件設定部３５ｄ）は、ユーザー操作に応じて、強調して表示されている領域に対する撮像条件を設定してステップＳ１００へ進む。なお、ステップＳ９０におけるユーザー操作に応じた液晶モニタ３６の表示遷移や撮像条件の設定については、上述したとおりである。
【００９４】
ステップＳ１００において、制御部３５は、撮像指示の有無を判定する。制御部３５は、操作部材３７を構成する不図示のレリーズボタン、または撮像を指示する表示が操作された場合、ステップＳ１００を肯定判定してステップＳ１１０へ進む。制御部３５は、撮像指示が行われない場合には、ステップＳ１００を否定判定してステップＳ９０へ戻る。
【００９５】
ステップＳ１１０において、制御部３５は、所定の撮像処理を行う。すなわち、撮像制御部３５ｅが上記領域ごとに設定された撮像条件で撮像するように撮像素子１００を制御するとともに、撮像して得られた画像データに対して画像処理部３３によって所定の画像処理を施す。そして、記録部３９によって画像データを不図示の記録媒体に記録する。
【００９６】
ステップＳ１２０において、制御部３５は、終了操作が行われたか否かを判断する。制御部３５は、終了操作が行われた場合にステップＳ１２０を肯定判定して図８による処理を終了する。制御部３５は、終了操作が行われない場合には、ステップＳ１２０を否定判定してステップＳ２０へ戻る。ステップＳ２０へ戻った場合、制御部３５は、上述した処理を繰り返す。
【００９７】
上述した実施の形態によれば、次の作用効果が得られる。
（１）カメラ１は、撮像面の複数の領域の撮像条件を設定可能に構成された撮像素子１００により被写体像を撮像する撮像部３２と、撮像されたライブビュー画像に基づいて、撮像面を複数の領域に区分けする領域区分け部３５ｂとを備える。カメラ１が、自動的に複数の領域に区分けするので、ユーザーにとって、領域ごとの設定が行いやすくなる。
【００９８】
（２）複数の領域に対し、撮像条件の設定をする撮像条件設定部３５ｄをさらに備え、撮像条件の設定対象とする領域を順番に切り替え、設定対象とする領域に対し、ユーザー操作に基づく撮像条件を設定するので、ユーザーは、領域ごとに順番に設定することができる。
【００９９】
（３）領域区分け部３５ｂによって区分けされた複数の領域に序列をつける設定部３５ｃを備えるので、領域に適切に順位をつけることができる。
【０１００】
（４）カメラ１は、撮像部３２によって撮像された画像を表示する液晶モニタ３６を備え、制御部３５は、液晶モニタ３６に表示されるライブビュー画像のうち設定対象とする領域を他の領域と異なる態様で表示させるので、ユーザーに対して、設定対象の領域をわかりやすく示すことができる。
【０１０１】
（５）領域区分け部３５ｂは、物体検出部３５ａによりライブビュー画像から被写体要素を複数検出し、被写体要素をそれぞれ含む複数の単独領域に撮像面を区分けする、または単独領域を２以上組み合わせた複合領域と単独領域とに撮像面を区分けする、または複数の複合領域に撮像面を区分けするようにした。被写体要素を１つ含む単独領域だけでなく、単独領域を２つ以上含む複合領域にも区分けを可能にしたことで、複数の被写体要素に対してまとめて撮像条件を設定することができる。
【０１０２】
（６）設定部３５ｃは、物体検出部３５ａにより検出した被写体要素のうち、設定されている撮像シーンモードと関連する被写体要素を含む領域の序列の順位を高くするようにした。これにより、ユーザーが撮りたい被写体要素を含む領域の順位を高くする可能性が高まるので、使い勝手がよくなる。
【０１０３】
（７）設定部３５ｃは、物体検出部３５ａにより検出した被写体要素のうち、フォーカスが合っている被写体要素を含む領域の序列の順位を高くするようにした。これにより、ユーザーが撮りたい被写体要素を含む領域の順位を高くする可能性が高まるので、使い勝手がよくなる。
【０１０４】
（８）設定部３５ｃは、物体検出部３５ａにより検出した被写体要素のうち、至近の被写体要素を含む領域の序列の順位を高くするようにした。これにより、ユーザーが撮りたい被写体要素を含む領域の順位を高くする可能性が高まるので、使い勝手がよくなる。
【０１０５】
（９）設定部３５ｃは、物体検出部３５ａにより検出した被写体要素のうち、所定値より低輝度または所定値より高輝度の被写体要素を含む領域の序列の順位を高くするようにした。これにより、ユーザー撮像条件を変更したい被写体要素を含む領域の順位を高くする可能性が高まるので、使い勝手がよくなる。
【０１０６】
（１０）設定部３５ｃは、物体検出部３５ａにより検出した被写体要素のうち、序列の順位の高い領域に含まれる被写体要素との距離差が小さい被写体要素を含む領域ほど、序列の順位を高くするようにした。例えば、ユーザーが撮りたい被写体要素の次に撮りたい被写体要素を含む領域の序列を高くする可能性が高まるので、使い勝手がよくなる。
【０１０７】
（１１）設定部３５ｃは、物体検出部３５ａにより検出した被写体要素のうち、序列の順位の高い領域に含まれる被写体要素との輝度差が大きい被写体要素を含む領域ほど、序列の順位を高くするようにした。例えば、ユーザーが撮像条件を変更したい被写体要素を含む領域の序列を高くする可能性が高まるので、使い勝手がよくなる。
【０１０８】
（１２）設定部３５ｃは、物体検出部３５ａにより検出した被写体要素のうち、他の被写体要素より大きな被写体要素を含む領域ほど、序列の順位を高くするようにした。例えば、ユーザーが撮りたい被写体要素の次に撮りたい被写体要素を含む領域の序列を高くする可能性が高まるので、使い勝手がよくなる。
【０１０９】
（１３）設定部３５ｃは、物体検出部３５ａにより検出した被写体要素のうち、他の被写体要素よりライブビュー画像の中央に近い被写体要素を含む領域ほど、序列の順位を高くするようにした。例えば、ユーザーが撮りたい被写体要素の次に撮りたい被写体要素を含む領域の序列を高くする可能性が高まるので、使い勝手がよくなる。
【０１１０】
（１４）カメラ１は、撮像面の複数の領域の撮像条件を設定可能に構成された撮像素子１００により被写体像を撮像する撮像部３２より取得したライブビュー画像を表示する液晶モニタ３６と、ライブビュー画像に基づいて、画面を複数の領域に区分けする領域区分け部３５ｂとを備える。カメラ１が、自動的に複数の領域に区分けするので、ユーザーにとって、領域ごとの設定が行いやすくなる。
（１５）カメラ１は、領域区分け部３５ｂによって区分けされた複数の領域に序列をつける設定部３５ｃと、複数の領域に対応する所定の処理を、序列の順番に行う制御部３５を備えるので、領域に対する処理を適切な順番に行うことができる。
【０１１１】
（１６）制御部３５は、所定の処理として、撮像面における領域に対する撮像条件の設定指示を送る。これにより、例えば、撮像部３２がカメラ１の本体から離れた位置に設置され、制御部３５から撮像部３２を遠隔制御する場合において、画像の領域ごとの設定処理を遠隔で行えるので、ユーザーにとって、使い勝手がよくなる。
【０１１２】
次のような変形も本発明の範囲内であり、変形例の一つ、もしくは複数を上述の実施形態と組み合わせることも可能である。
【０１１３】
（変形例１）
上述した説明では、設定部３５ｃは、領域区分け部３５ｂによって区分けされた複数の領域に序列をつける説明をしたが、これに限定されない。設定部３５ｃは、領域区分け部３５ｂにより区分けされた領域において、撮像条件を変更すべき領域か否かを示す情報を付加するようにしてもよい。設定部３５ｃは、撮像条件を変更すべき領域か否かの判断を、上述した領域の序列を設定する方法に基づいて行うようにすればよい。
【０１１４】
（変形例２）
上述した説明では、領域の表示パターンを複数作成した場合に、図７（ａ）〜図７（ｃ）に例示したように、１パターンずつ液晶モニタ３６に表示する例を説明した。ユーザーによる液晶モニタ３６の画面上のスライド操作に応じて、制御部３５が、表示パターンを切り替える。この代わりに、液晶モニタ３６に複数の表示パターンを並べて表示することにより、ユーザーが、任意の表示パターンを選べるようにしてもよい。
【０１１５】
変形例２において、領域の表示パターンが４通り作成されているものとする。制御部３５は、図９に示すように、液晶モニタ３６に４通りの表示パターンを一覧表示させる。図９の例では、画面の左上に序列１位の第１パターン６０ａが表示され、画面の右上に序列２位の第２パターン６０ｂが表示され、画面の左下に序列３位の第４パターン６０ｄが表示され、画面の右下に序列４位の第３パターン６０ｃが表示される。
【０１１６】
ユーザーが、図９の表示画面上で任意の表示パターンをタップ操作すると、制御部３５は、一覧表示に代えて、タップ操作された表示パターンのみを液晶モニタ３６に表示させる。例えば、図９の表示画面上で第２パターンがタップ操作された場合、制御部３５は、図７（ｂ）の場合と同様に、序列２位の第２パターンのみを液晶モニタ３６に表示させる。
【０１１７】
（変形例３）
作成されている表示パターンの数が、８である場合を想定する。制御部３５は、作成されている表示パターンの数が、一覧表示可能な数（例えば４）を超えているので、一覧表示に加えて、補助画面９０を表示させる。図１０は、変形例３による液晶モニタ３６の表示画面を例示する図である。図１０において、一覧表示の左上に序列１位の第１パターン６０ａが表示され、一覧表示の右上に序列２位の第２パターン６０ｂが表示され、一覧表示の左下に序列３位の第４パターン６０ｄが表示され、一覧表示の右下に序列４位の第３パターン６０ｃが表示される。
【０１１８】
制御部３５は、補助画面９０に、表示できていない表示パターンの情報を表示させる。図１０の例では、例えば、序列５位の第５パターン、序列６位の第６パターン、序列７位の第７パターンが、それぞれ縮小して補助画面９０に表示される。
【０１１９】
補助画面９０において上アイコン９１ａまたは下アイコン９１ｂがユーザーによってタップ操作されると、制御部３５は、補助画面９０に表示する表示パターンを切り替える。すなわち、タップ操作に応じて表示対象の表示パターンを切り替える。
【０１２０】
また、ユーザーが、図１０の表示画面上で任意の表示パターンをタップ操作すると、制御部３５は、タップ操作された表示パターンのみを液晶モニタ３６に表示させる。
【０１２１】
（変形例４）
図１１は、変形例４による表示パターンの切り替えを説明する図である。図１１において、ライブビュー画像６０ｆに重ねて、風景アイコン７４、人物アイコン７５、および自動車アイコン７６が、それぞれ表示されている。ユーザーが人物アイコン７５をタップ操作すると、制御部３５は、人物６１ａ（図６）を被写体要素とする第１領域６１の輪郭を強調したライブビュー画像６０ｆを表示させる。
【０１２２】
制御部３５は、人物アイコン７５と異なるアイコンがタップ操作されると、アイコンに対応する被写体要素の領域の輪郭を強調してライブビュー画像を表示させることにより、表示パターンを切り替える。
【０１２３】
例えば、ユーザーが自動車アイコン７６をタップ操作すると、制御部３５は、自動車６２ａ（図６）を被写体要素とする第２領域の輪郭を強調したライブビュー画像を表示させる。また、ユーザーが風景アイコン７４をタップ操作すると、制御部３５は、山６４ａ（図６）を被写体要素とする第４領域の輪郭を強調してライブビュー画像を表示させる。
【０１２４】
ライブビュー画像に重ねて表示する風景アイコン７４、人物アイコン７５、および自動車アイコン７６の組み合わせは、変更可能に構成されている。制御部３５は、左アイコン７３ａまたは右アイコン７３ｂがタップ操作されると、表示するアイコンの組み合わせを変更する。
【０１２５】
図１２は、アイコンの組み合わせを例示する図である。図１２(ａ)は、風景アイコン７４、人物アイコン７５、および集合人物アイコン７７の組み合わせを例示する図である。集合人物アイコン７７がタップ操作された場合、制御部３５は、ライブビュー画像の中で複数の人物を含む領域の輪郭を強調してライブビュー画像を表示させる。
【０１２６】
図１２(ｂ)は、風景アイコン７４、物アイコン７８、および自動車アイコン７６の組み合わせを例示する図である。物アイコン７８がタップ操作された場合、制御部３５は、ライブビュー画像の中で物（例えば図６のバッグ６３ａ）を被写体要素とする第３領域の輪郭を強調してライブビュー画像を表示させる。
【０１２７】
図１２(ｃ)は、風景アイコン７４、雲アイコン７９、および白飛びアイコン８０の組み合わせを例示する図である。雲アイコン７９がタップ操作された場合、制御部３５は、ライブビュー画像の中で雲（例えば図６の雲６５ａ、６６ａ）を被写体要素とする第５領域および第６領域の輪郭を強調してライブビュー画像を表示させる。白飛びアイコン８０がタップ操作された場合、制御部３５は、ライブビュー画像の中で所定の輝度値より高い領域を強調してライブビュー画像を表示させる。
【０１２８】
以上説明した変形例４によれば、ユーザーによってタップ操作されたアイコンに対応する被写体要素の領域の輪郭を強調してライブビュー画像を表示させることにより、表示パターンを切り替える。ユーザーは、撮像条件を変更したい領域をタップ操作によって指定することができる。
なお、制御部３５は、ユーザーによるタップ操作に応じて切り替えた表示パターンの順番にしたがって、表示パターンに序列をつけたり、序列を変更したりするように構成してもよい。
【０１２９】
（変形例５）
上述した説明では、カメラ１を例に説明したが、スマートフォンやタブレット端末などのようにカメラ機能を備えた電子機器によって構成してもよい。
図１３（ａ）は、カメラ機能を備えた電子機器２における撮像条件の設定について示している。電子機器２は、ユーザーによって図１３（ａ）に例示する態様で操作が行われることを想定して、液晶モニタ３６に撮像条件の設定画面を表示させる。一般に、ユーザーは、片手で液晶モニタ３６の表示面のタッチ操作部材を操作する。図１３（ａ）によれば、右手の親指で電子機器２のタッチ操作部材が操作され、親指以外の指で電子機器２の背面が支持されている。液晶モニタ３６の表示面における右手の親指の可動範囲は、親指の関節位置Ｐを中心として親指の長さを半径とする円弧の内側である。
そこで、制御部３５は、人が電子機器２を把持する平均的な持ち位置、および人の親指の平均的な長さに基づく親指の可動範囲をあらかじめ定め、この可動範囲の内側に後述する操作部７０（図１３（ｂ））を表示させる。
【０１３０】
図１３（ｂ）は、撮像条件の設定画面を例示する図である。制御部３５は、領域区分け部３５ｂによって画面が複数の領域に区分けされ、撮像条件を設定する領域が決定されると、図１３（ｂ）のようなライブビュー画像６０ａを液晶モニタ３６に表示させる。
なお、ユーザーによって選択された領域を撮像条件の設定（変更）の対象にする代わりに、制御部３５が自動的に選んだ領域を撮像条件の設定（変更）の対象にしてもよい。例えば、領域区分け部３５ｂによって区分けされた領域に優先順位を付けて、制御部３５がこの順番に基づいて選んだ領域を撮像条件の設定（変更）の対象にすることができる。
【０１３１】
図１３（ｂ）において、第１領域６１の輪郭を強調したライブビュー画像６０ａが表示されているものとする。第１領域〜第６領域のうち輪郭を強調して表示（太く表示、明るく表示、色を変えて表示、破線で表示、点滅表示等）する領域は、撮像条件を設定（変更）する対象領域を示す。第１領域６１の輪郭を強調したことにより、ユーザーに対して、撮像条件の設定（変更）の対象となっている領域を分かりやすく示すことができる。
【０１３２】
ユーザーはさらに、ライブビュー画像６０ａが表示されている液晶モニタ３６の表示面上で、撮像条件の設定（変更）対象である領域の表示位置を長押し操作（例えば、１秒以上触り続ける）する。制御部３５は、この長押し操作を検知すると、ライブビュー画像６０ａに重ねて画面の右下位置（上記右手親指の可動範囲内）に操作部７０を表示させる。
なお、制御部３５は、撮像条件の設定を行う領域が決定すると、ユーザーの操作によらずに操作部７０を表示させてもよい。
【０１３３】
操作部７０には、撮像条件の設定項目の一例として、上記可動範囲の外寄りから順に曲線７１、曲線７２、および曲線７３が含まれる。曲線７１は、露出条件の１つであるゲイン（ＩＳＯ感度）を高く、または低く変更する操作部に相当する。曲線７２は、露出条件の１つであるシャッター速度ＴＶ（電荷蓄積時間）を速く、または遅く変更する操作部に相当する。曲線７３は、露出条件の１つであるフレームレートを速く、または遅く変更する操作部に相当する。フレームレートは、１秒間に取得するライブビュー画像や動画像のフレーム数のことをいう。
【０１３４】
なお、操作部７０によって変更する撮像条件（露出条件や画像処理条件）は、制御部３５がライブビュー画像６０ａに基づき決定してもよいし、ユーザー操作によってあらかじめ指示されている撮像条件を変更対象として決定してもよい。ユーザー操作は音声を含み、制御部３５は、例えば音声で「ゲイン」と入力された場合に操作部７０として曲線７１を表示させる。
【０１３５】
制御部３５は、操作部７０に複数の曲線を含める場合、変更対象である撮像条件の調整範囲が広い変更対象（例えばゲイン）ほど、関節位置Ｐ（図１３（ａ））から遠い位置に表示させる。この理由は、関節位置Ｐから離れるほど円弧が長くなることと、長い円弧は広い調整範囲に対応させやすいことによる。
【０１３６】
曲線７１〜曲線７３上には、それぞれマーク７１ａ〜７３ａが表示される。操作部７０においてマーク７１ａ〜７３ａが表示される初期位置（曲線上における表示位置）は、撮像条件を設定（変更）する対象領域（図１３（ｂ）の例では第１領域６１）の現在設定されている撮像条件に対応する。例えば、マーク７１ａはゲインに対応しており、曲線７１の上端がゲインの調整範囲の上限に対応し、曲線７１の下端がゲインの調整範囲の下限に対応する。図１３（ｂ）の例では、マーク７１ａが曲線７１上において略１／２に表示されているので、ゲインの調整範囲の中間値であることを示す。
【０１３７】
マーク７２ａはシャッター速度に対応しており、曲線７２の上端がシャッター速度の調整範囲の上限に対応し、曲線７２の下端がシャッター速度の調整範囲の下限に対応する。図１３（ｂ）の例では、マーク７２ａが曲線７２上において下端から約１／３に表示されているので、シャッター速度の調整範囲の下限から１／３の値であることを示す。
【０１３８】
マーク７３ａはフレームレートに対応しており、曲線７３の上端がフレームレートの調整範囲の上限に対応し、曲線７３の下端がフレームレートの調整範囲の下限に対応する。図１３（ｂ）の例では、マーク７３ａが曲線７３上において下端から約１／２に表示されているので、フレームレートの調整範囲の中間値であることを示す。
【０１３９】
図１３（ｂ）に例示した画面において、ユーザーが曲線７１上を親指でスライド操作した場合、制御部３５（撮像条件設定部３５ｄ）は、ライブビュー画像のうち撮像条件の設定（変更）対象である第１領域６１のゲインの調整パラメータを、スライド操作後の親指の位置に対応する値へ変更する。
【０１４０】
第１領域６１のゲインを高くする場合、撮像条件設定部３５ｄは、例えば、第１領域６１から読み出された信号の増幅度を現在設定されているゲインよりも大きくすることにより、ゲインを高める調整パラメータを決定する。
【０１４１】
また、第１領域６１のゲインを低くする場合、撮像条件設定部３５ｃは、例えば、第１領域６１から読み出された信号の増幅度を現在設定されているゲインよりも小さくすることにより、ゲインを低くする調整パラメータを決定する。
【０１４２】
撮像条件設定部３５ｄは、決定したゲインの調整パラメータを撮像部３２または画像処理部３３に設定する。撮像部３２に設定する理由は、次の撮像時において、ゲインの変更を撮像素子１００の露出条件の変更によって実現させるためである。また、画像処理部３３に設定する理由は、ライブビュー画像に対して画像処理を施すことによって、ゲイン変更後の画像を得るためである。
【０１４３】
制御部３５は、スライド操作後の親指の位置に対応させて、曲線７１上でマーク７１ａの表示位置を移動させる。制御部３５が以上の処理を行うことにより、ユーザーは、ライブビュー画像６０ａにおいて第１領域６１のゲインが変化する様子を確認できる。
【０１４４】
制御部３５（撮像条件設定部３５ｄ）は、撮像条件の設定（変更）の対象でない領域（第１領域６１以外の他の領域）については、設定されているゲインの調整パラメータを維持する。
なお、撮像条件の設定（変更）対象でない領域のうち、第１領域６１との境界付近については、上記境界付近における撮像条件の不連続性をぼかすように、画像全体のバランスを考慮して撮像条件を変更してもよい。
【０１４５】
制御部３５（撮像条件設定部３５ｄ）は、シャッター速度の設定（変更）およびフレームレートの設定（変更）についても、ゲインの設定（変更）の場合と同様に行う。
なお、操作部７０によって変更する撮像条件（露出条件や画像処理条件）は、輝度、コントラスト、および彩度でもよい。図１４（ａ）は、撮像条件として輝度、コントラスト、および彩度の設定画面を例示する図である。ライブビュー画像６０ａに重ねて画面の右下位置（すなわち、右手親指の可動範囲内）に表示された操作部７０には、撮像条件の設定項目の一例として、上記可動範囲の外寄りから順に曲線７４、曲線７５、および曲線７６が含まれる。曲線７４は、露出条件の１つである輝度を高く、または低く変更する操作部に相当する。曲線７５は、画像処理条件の１つであるコントラストを高く、または低く変更する操作部に相当する。曲線７６は、画像処理条件の１つである彩度を高く、または低く変更する操作部に相当する。図１４（ａ）では、操作部７０に３つの撮像条件に対応する３つの曲線を表示する例を説明するが、１つの撮像条件に対応する１つの曲線のみを表示したり、２つの撮像条件に対応する２つの曲線を表示したりすることも可能である。
【０１４６】
曲線７４〜曲線７６上には、それぞれマーク７４ａ〜７６ａが表示される。操作部７０においてマーク７４ａ〜７６ａが表示される位置（曲線上の表示位置）は、撮像条件を設定（変更）する対象領域（図１４（ａ）の例では第１領域６１）の撮像条件に対応する。すなわち、マーク７４ａは輝度に対応しており、曲線７４の上端が輝度の調整範囲の上限に対応し、曲線７４の下端が輝度の調整範囲の下限に対応する。マーク７５ａはコントラストに対応しており、曲線７５の上端がコントラストの調整範囲の上限に対応し、曲線７５の下端がコントラストの調整範囲の下限に対応する。マーク７６ａは彩度に対応しており、曲線７６の上端が彩度の調整範囲の上限に対応し、曲線７６の下端が彩度の調整範囲の下限に対応する。撮像条件の設定については、ゲインの設定（変更）、シャッター速度の設定（変更）およびフレームレートの設定（変更）の場合と同様である。
【０１４７】
図１４（b）は、ユーザーによって左手で操作が行われることを想定した撮像条件の設定画面を例示する図である。曲線７４〜曲線７６は、図１３（ｂ）の曲線と左右逆である点が相違するものの、機能は同一であるので詳細な説明を省略する。
【０１４８】
制御部３５は、操作メニュー画面などにおける切り替え操作に応じて、図１３（ｂ）の表示と図１４（b）の表示とを切り替えるようにしてもよい。制御部３５は、加速度センサの検出結果により図１３（ｂ）の表示と図１４（b）の表示とを切り替えるようにしてもよい。制御部３５は、ユーザーが電子機器２を把持する手を検出して図１３（ｂ）の表示と図１４（b）の表示とを切り替えるようにしてもよい。
【０１４９】
図１５（ａ）は、ユーザーによって両手で操作が行われることを想定した撮像条件の設定画面を例示する図である。図１５（ａ）によれば、ユーザーの両手の親指で電子機器２のタッチ操作部材が操作され、親指以外の指でカメラ１の背面が支持されている。液晶モニタ３６の表示面における右手の親指の可動範囲は、右手親指の関節位置Ｐを中心として親指の長さを半径とする円弧の内側である。液晶モニタ３６の表示面における左手の親指の可動範囲は、左手親指の関節位置Ｑを中心として親指の長さを半径とする円弧の内側である。
【０１５０】
制御部３５は、人が電子機器２を把持する平均的な持ち位置、および人の親指の平均的な長さに基づく親指の可動範囲をあらかじめ定め、両手の親指の可動範囲の内側に後述する操作部７０Ａ、７０Ｂ（図１５（ｂ））を表示させる。
【０１５１】
操作部７０Ａには、撮像条件の設定項目の一例として、曲線７２が含まれる。曲線７２は、露出条件の１つであるシャッター速度ＴＶ（電荷蓄積時間）を速く、または遅く変更する操作部に相当する。曲線７２は、図１３（ｂ）の曲線と左右逆である点が相違するものの、機能は同一であるので、詳細な説明を省略する。
【０１５２】
操作部７０Ｂには、撮像条件の設定項目の一例として、右手親指の可動範囲の外寄りから順に曲線７１、および曲線７３が含まれる。曲線７１は、露出条件の１つであるゲイン（ＩＳＯ感度）を高く、または低く変更する操作部に相当する。曲線７３は、露出条件の１つであるフレームレートを速く、または遅く変更する操作部に相当する。曲線７１および曲線７３は、図１３（ｂ）の曲線と機能が同一であるので、詳細な説明を省略する。
【０１５３】
図１５（ｃ）は、操作部７０の他の表示形態を例示する図である。図１５（ｃ）において、ライブビュー画像６０ａに重ねて画面の右下位置（右手親指の可動範囲内）に操作部７０Ｂが表示されるとともに、画面の左下位置（左手親指の可動範囲内）に操作部７０Ｃがそれぞれ表示されている。操作部７０Ｂには、撮像条件の設定項目の一例として、曲線７１および曲線７３が含まれる。曲線７１および曲線７３は、それぞれが異なる半径の円弧を用いた図１５（ｂ）の場合と異なり、同じ半径の円弧が分割されたものである。
【０１５４】
制御部３５は、複数の操作部７０として曲線７１および曲線７３を設定する場合に、仮想ラインの上において断続する複数の曲線７１、７３を設定するようにした。これにより、上記実施の形態のように異なる半径の円弧による複数の曲線を設けなくても、複数の撮像条件の設定（変更）を行うことができる。
【０１５５】
また、操作部７０Ａには、設定項目の一例として曲線７７が含まれる。曲線７７は、フィルタ処理をオン／オフする操作部に相当する。図１５（ｃ）に例示した画面において、ユーザーが曲線７７上を親指でスライド操作した場合、制御部３５は、ライブビュー画像のうち撮像条件の設定（変更）対象である第１領域６１に対する所定のフィルタ処理のオン／オフを、スライド操作後の親指の位置に対応する設定へ変更する。
【０１５６】
撮像条件設定部３５ｄは、曲線７７上のスライド操作の終了位置に対応する設定を、画像処理部３３に設定する。画像処理部３３に設定する理由は、ライブビュー画像に対して画像処理を施すことによって、第１領域６１についてフィルタ処理後の画像を得るためである。
【０１５７】
図１６（ａ）は、操作部の他の表示形態を例示する図である。図１６（ａ）によれば、右手の親指の可動範囲の中に、操作部としてアイコン群８０が表示されている。
【０１５８】
アイコン８１は、露出条件の１つである輝度を高く、または低く変更する操作アイコンである。アイコン８２は、画像処理条件の１つであるコントラストを高く、または低く変更する操作アイコンである。アイコン８３は、画像処理条件の１つである彩度を高く、または低く変更する操作アイコンである。アイコン８４は、露出条件の１つであるシャッター速度（電荷蓄積時間）を速く、または遅く変更する操作アイコンである。アイコン８５は、露出を適正露出よりも高く、または適正露出よりも低く補正するための露出補正値を変更する操作アイコンである。
【０１５９】
制御部３５は、ユーザーにより操作されたアイコンに対応付けられた撮像条件（すなわち、輝度、コントラスト、彩度、シャッター速度および露出補正値）を変更する。
なお、変更する撮像条件（露出条件、画像処理条件）を、制御部３５がライブビュー画像６０ａに基づき決定するようにしてもよいし、ユーザー操作によってあらかじめ指示されている撮像条件を変更対象として決定するようにしてもよい。
【０１６０】
ユーザーはさらに、ライブビュー画像６０ａが表示されている液晶モニタ３６の表示面上で、撮像条件の設定（変更）対象である領域の表示位置を長押し操作（例えば、１秒以上触り続ける）する。制御部３５は、長押し操作を検知すると、ライブビュー画像６０ａに重ねて画面の右下位置（上記右手親指の可動範囲内）に操作部としてのアイコン群８０を表示させる。
【０１６１】
図１６（ｂ）は、アイコン８１を操作中の設定画面を例示する図である。図１６（ｂ）において、ユーザーが、例えばアイコン８１に親指（他の指でも構わない）で触れている間、制御部３５は、回転する矢印アイコン８６をライブビュー画像６０ａに重ねて液晶モニタ３６に表示させる。制御部３５はさらに、矢印アイコン８６の中央に、操作中のアイコン８１と同じアイコンを表示させる。
【０１６２】
制御部３５は、所定時間（例えば２秒）ごとに矢印アイコン８６の長さを変化させる。図１７は、長さが変化する矢印アイコン８６を説明する図である。制御部３５は、時間経過とともに図１７(a)の矢印アイコン８６から図１７(b)の矢印アイコン８６へと表示の長さを徐々に長く変化させ、さらに図１６（ｂ）の矢印アイコン８６へと表示の長さを徐々に長く変化させる。制御部３５は、矢印アイコン８６の長さが最大（図１６（ｂ））になると、矢印アイコン８６の長さを一旦最小に戻し、再び徐々に長く変化させる。制御部３５は、以上のような矢印アイコン８６の回転表示を、アイコン８１が操作中である場合に上記所定時間（本例では２秒）ごとに繰り返し行わせる。すなわち、矢印アイコン８６の長さが最小から最大までの遷移時間は２秒で、矢印アイコン８６の１回転に要する時間も２秒である。
【０１６３】
矢印アイコン８６の長さは、ユーザーが触れているアイコンに対応する撮像条件（または画像処理条件）の調整値の大小に対応する。このため、アイコン８１が操作中の場合、矢印アイコン８６の最大の長さは輝度の調整範囲の上限に対応し、矢印アイコン８６の最小の長さは輝度の調整範囲の下限に対応する。
【０１６４】
制御部３５（撮像条件設定部３５ｄ）は、矢印アイコン８６の長さの変化に対応させて、ライブビュー画像のうち撮像条件の設定（変更）対象である第１領域６１の輝度の調整パラメータを変更する。
【０１６５】
第１領域６１の輝度を高くする場合、撮像条件設定部３５ｄは、第１領域６１の撮像条件のうち、例えば電荷蓄積時間を長くすることにより、輝度を高める調整パラメータを決定する。
【０１６６】
また、第１領域６１の輝度を低くする場合、撮像条件設定部３５ｄは、第１領域６１の撮像条件のうち、例えば電荷蓄積時間を短くすることにより、輝度を低くする調整パラメータを決定する。
【０１６７】
ユーザーは、ライブビュー画像６０ａに反映される第１領域６１の輝度の変化と、回転する矢印アイコン８６の長さの変化とを目安にして、所望のタイミングでアイコン８１の操作を終了する。制御部３５は、操作終了に応じて矢印アイコン８６の表示を終了させる。
【０１６８】
一方、撮像条件設定部３５ｄは、ユーザーによるアイコン８１への操作が終了した時点における調整パラメータを決定し、決定した輝度の調整パラメータを撮像部３２または画像処理部３３に設定する。撮像部３２に設定する理由は、次の撮像時において、輝度の変更を撮像素子１００の露出条件の変更によって実現させるためである。また、画像処理部３３に設定する理由は、ライブビュー画像に対して画像処理を施すことによって、輝度変更後の画像を得るためである。
【０１６９】
制御部３５（撮像条件設定部３５ｄ）は、撮像条件の設定（変更）の対象でない領域（第１領域６１以外の他の領域）については、設定されている輝度の調整パラメータを維持する。
なお、撮像条件の設定（変更）対象でない領域のうち、第１領域６１との境界付近については、上記境界付近における撮像条件の不連続性をぼかすように、画像全体のバランスを考慮して撮像条件を変更してもよい。
【０１７０】
図１８（ａ）は、アイコン８４を操作中の設定画面を例示する図である。図１８（ａ）において、ユーザーが、例えばアイコン８４に親指（他の指でも構わない）で触れている間、制御部３５は、回転する矢印アイコン８６をライブビュー画像６０ａに重ねて液晶モニタ３６に表示させる。制御部３５はさらに、矢印アイコン８６の中央に、操作中のアイコン８４と同じアイコンを表示させる。
【０１７１】
図１８（ｂ）は、アイコン８５を操作中の設定画面を例示する図である。図１８（ｂ）において、ユーザーが、例えばアイコン８５に親指（他の指でも構わない）で触れている間、制御部３５（表示制御部３５ｆ）は、回転する丸い矢印アイコン８６をライブビュー画像６０ａに重ねて液晶モニタ３６に表示させる。制御部３５（表示制御部３５ｆ）はさらに、丸い矢印アイコン８６の中央に、操作中のアイコン８５と同じアイコンを表示させる。
【０１７２】
液晶モニタ３６の表示面に設けるタッチ操作部材として、接触操作の有無および接触位置に加えて、接触圧力を検出するタッチ操作部材を用いてもよい。制御部３５は、接触操作の圧力が高いほど、撮像条件の変化速度を大きくする。制御部３５は、接触操作の圧力が高いほど、回転表示する矢印アイコン８６の回転速度を速くする。例えば、接触圧力の高低に応じて、１回転０．５秒から１回転５秒の間で回転速度を制御する。この場合、矢印アイコン８６の長さが最小から最大まで遷移する時間も、０．５秒から５秒に変化させる。これによれば、ユーザーは、撮像条件の設定（変更）をゆっくり行いたいときはアイコン群８０のアイコンに軽く触れ、早く行いたいときはアイコン群８０のアイコンに強く触れればよいので、使い勝手をよくすることができる。
【０１７３】
液晶モニタ３６の表示面に設けるタッチ操作部材として、接触操作の有無および接触位置に加えて、接触面積を検出するタッチ操作部材を用いてもよい。制御部３５は、接触面積が大きいほど、撮像条件の変化速度を大きくする。制御部３５は、接触面積が大きいほど、回転表示する矢印アイコン８６の回転速度を速くする。例えば、接触面積の大小に応じて、１回転０．５秒から１回転５秒の間で回転速度を制御する。この場合、矢印アイコン８６の長さが最小から最大まで遷移する時間も、０．５秒から５秒に変化させる。
これによれば、ユーザーは、撮像条件の設定（変更）をゆっくり行いたいときはアイコン群８０のアイコンに指の先で軽く触れ、早く行いたいときはアイコン群８０のアイコンに指の腹でしっかり触れればよいので、使い勝手をよくすることができる。
【０１７４】
制御部３５は、ユーザーによるアイコン操作が終了しても、矢印アイコン８６の回転を止めたままで、矢印アイコン８６の表示を所定時間（たとえば１秒）継続させてもよい。
【０１７５】
制御部３５は、ユーザーによって上記所定時間以内に矢印アイコン８６に対する回転操作が行われた場合、矢印アイコン８６に沿った回転操作の方向に応じて、アイコン操作が終了した時点における撮像条件の調整パラメータを増減させる。例えば、ユーザーの指による時計回りの操作によってプラス方向に調整パラメータを微調し、ユーザーの指による半時計回りの操作によってマイナス方向に調整パラメータを微調する。
【０１７６】
制御部３５は、ユーザーにより矢印アイコン８６に対する回転操作が行われなくなって所定時間（たとえば１秒）が経過すると、矢印アイコン８６の表示を終了させるとともに、微調後の調整パラメータを撮像部３２または画像処理部３３に設定する。
なお、ユーザーによるアイコン操作が終了後、矢印アイコン８６に対する回転操作が行われることなく所定時間（たとえば１秒）が経過した場合には、制御部３５は、矢印アイコン８６の表示を終了させるとともに、アイコン操作が終了した時点における撮像条件の調整パラメータを撮像部３２または画像処理部３３に設定する。
【０１７７】
（変形例６）
図１９は、変形例６における撮像条件の設定画面を例示する図である。制御部３５は、領域区分け部３５ｂによって区分けされた領域のうち、ユーザーによって選択された領域を撮像条件の設定（変更）の対象にする。図１９では、制御部３５は、ライブビュー画像６０ａにおいて人物６１ａを含む第１領域６１を、撮像条件を設定（変更）する対象領域にするとともに、第１領域６１の輪郭を強調して表示させる。
【０１７８】
制御部３５は、撮像条件の設定（変更）の対象となる領域（図１９の例では第１領域６１）に対応させて、例えば画面の左端に、アイコン群（アイコン７１、アイコン７２、およびアイコン７３）を上下方向に並ぶように表示させる。
【０１７９】
アイコン７１は、画像処理条件の１つであるコントラストを高く、または低く変更する操作アイコンである。アイコン７２は、画像処理条件の１つである彩度を高く、または低く変更する操作アイコンである。アイコン７３は、露出条件の１つである輝度を高く、または低く変更する操作アイコンである。
【０１８０】
アイコン７１〜７３が表示される位置（画面の上下方向における表示位置）は、撮像条件を設定（変更）する対象領域（図１９の例では第１領域６１）の撮像条件に対応する。例えば、アイコン７１はコントラストに対応しており、画面の上端がコントラストの調整範囲の上限に対応し、画面の下端がコントラストの調整範囲の下限に対応する。コントラストの上限は、ライブビュー画像の第１領域６１の中の高輝度部分の信号が飽和しない値、かつ第１領域６１の中の低輝度部分の信号が黒潰れしない値とする。また、コントラストの下限は、ライブビュー画像の第１領域６１の中の明暗の差を残す値とする。
【０１８１】
図１９では、アイコン７１が画面の上下方向において下端から１／２に表示されているので、基準条件におけるコントラストの設定値は、コントラストの調整範囲の中間値であることを示す。
【０１８２】
アイコン７２は彩度に対応しており、画面の上端が彩度の調整範囲の上限に対応し、画面の下端が彩度の調整範囲の下限に対応する。彩度の上限は、ライブビュー画像の第１領域６１の中の高彩度（突出する色成分）の信号が飽和しない値とする。また、彩度の下限は、ライブビュー画像の第１領域６１の中の色の鮮やかさを残す（無彩色にしない）値とする。
【０１８３】
図１９では、アイコン７２が画面の上下方向において下端から約１／３に表示されているので、基準条件における彩度の設定値は、彩度の調整範囲の下限から１／３の値であることを示す。
【０１８４】
アイコン７３は輝度に対応しており、画面の上端が輝度の調整範囲の上限に対応し、画面の下端が輝度の調整範囲の下限に対応する。輝度の上限は、ライブビュー画像の第１領域６１の中の高輝度部分の信号が飽和しない（いわゆる白飛びしない）値とする。また、輝度の下限は、ライブビュー画像の第１領域６１の中の低輝度部分の信号が暗すぎない（いわゆる黒潰れしない）値とする。
【０１８５】
図１９では、アイコン７３が画面の上下方向において下端から約１／４に表示されているので、基準条件における輝度の設定値は、輝度の調整範囲の下限から１／４の値であることを示す。
【０１８６】
図１９に例示した画面において、ユーザーによってアイコン７１が上下方向にドラッグ操作された場合、制御部３５（撮像条件設定部３５ｄ）は、ライブビュー画像のうち撮像条件の設定（変更）対象である第１領域６１のコントラストの調整パラメータを、ドラッグ操作後のアイコン７１の位置に対応する値へ変更する。ユーザーは、ライブビュー画像６０ａにおいて第１領域６１のコントラストが変化する様子を確認できる。
【０１８７】
制御部３５（撮像条件設定部３５ｄ）は、撮像条件の設定（変更）の対象でない領域（第１領域６１以外の他の領域）については、設定されているコントラストの調整パラメータを維持する。
なお、撮像条件の設定（変更）対象でない領域のうち、第１領域６１との境界付近については、上記境界付近における撮像条件の不連続性をぼかすように、画像全体のバランスを考慮して撮像条件を変更してもよい。
【０１８８】
撮像条件設定部３５ｄは、ドラッグ操作後のアイコン７１の位置に対応させて、第１領域６１についてのコントラストの調整パラメータを決定して画像処理部３３に設定する。画像処理部３３に設定する理由は、ライブビュー画像に対して画像処理を施すことによって、コントラスト変更後の画像を得るためである。
【０１８９】
制御部３５（撮像条件設定部３５ｄ）は、彩度の設定（変更）および輝度の設定（変更）についても、コントラストの設定（変更）の場合と同様に行う。
【０１９０】
図２０（ａ）は、複数の領域に対する撮像条件の設定画面を例示する図である。制御部３５は、例えば、人物６１の表示位置と、自動車６２の表示位置とについて、輪郭を強調表示させる。
【０１９１】
制御部３５は、撮像条件を設定（変更）する対象領域（本例では第１領域６１）に対応させて、例えば画面の左端のアイコン領域ＩＧ６１内に、第１のアイコン群（アイコン７１、アイコン７２、およびアイコン７３）を上下方向に並ぶように表示させる。アイコン領域ＩＧ６１は吹きだしを有しており、第１領域６１との対応関係をわかりやすくしている。
【０１９２】
また、制御部３５は、撮像条件を設定（変更）する対象の他方の領域（本例では第２領域６２）に対応させて、例えば画面の右端のアイコン領域ＩＧ６２内に、第２のアイコン群（アイコン７１、アイコン７２、アイコン７３、およびアイコン７５）を上下方向に並ぶように表示させる。アイコン領域ＩＧ６２は吹きだしを有しており、第２領域６２との対応関係をわかりやすくしている。
【０１９３】
図２０（ａ）の例では、第１領域６１に対応するアイコン領域ＩＧ６１がアクティブ表示されており、他方の領域（第２領域６２）に対応するアイコン領域ＩＧ６２がインアクティブ表示されている。制御部３５は、アクティブ表示しているアイコン領域のアイコン群に対する操作を有効にする。操作が有効なアイコン群が操作された場合に行う対象領域に対する撮像条件の設定（変更）は、対象領域が１つの場合と同様であるので、説明を省略する。
【０１９４】
制御部３５は、アクティブ表示するアイコン領域（ＩＧ６１）と、撮像条件を設定（変更）する対象領域（すなわち、ライブビュー画像６０ａにおいて輪郭を強調表示する第１領域６１）とを、対応づけて制御する。図２０（ａ）では、液晶モニタ３６に表示されているライブビュー画像６０ａにおいて、第１領域６１の輪郭が強調表示されているものとする。
【０１９５】
図２０（ｂ）は、撮像条件の設定（変更）対象の切り替え後の設定画面を例示する図である。図２０（ｂ）では、液晶モニタ３６に表示されているライブビュー画像６０ａにおいて、第２領域６２の輪郭が強調表示されているものとする。図２０（ｂ）の例では、第２領域６２に対応するアイコン領域ＩＧ６２がアクティブ表示されており、他方の領域（第１領域６１）に対応するアイコン領域ＩＧ６１がインアクティブ表示されている。制御部３５は、アクティブ表示しているアイコン領域のアイコン群に対する操作を有効にする。
【０１９６】
なお、制御部３５は、第２領域６２がタップ操作される代わりに、アイコン領域ＩＧ６２の表示位置がタップ操作される場合にも、アクティブ表示するアイコン領域の切り替えと、撮像条件の設定（変更）対象の切り替えとを行ってもよい。
【０１９７】
一般に、動きのある被写体は、シャッター速度（電荷蓄積時間）の値によって、被写体ブレが生じる可能性がある。制御部３５は、物体検出部３５ａによって移動する被写体要素として自動車６２ａが検出された場合には、第２領域６２に対応する第２のアイコン群に、シャッター速度（電荷蓄積時間）に対応するアイコン７５を自動的に含める。これにより、ユーザーは、第２領域に対してシャッター速度（電荷蓄積時間）の変更操作を行うことができる。
【０１９８】
対象領域が２つある場合、撮像条件を変更するためのアイコン群を２組表示するようにしたので、ユーザーに対し、ライブビュー画像６０ａにおける第１領域６１および第２領域６２に対する撮像条件の設定値の違いを視覚的に示すことができる。ユーザーは、例えばアイコン領域ＩＧ６１とアイコン領域ＩＧ６２との間のアイコンの上下方向の表示位置を比較することにより、第１領域６１と第２領域６２との間の撮像条件の違いを知ることができる。
【０１９９】
図２０（ａ）および図２０（ｂ）では、アイコン領域ＩＧ６１およびアイコン領域ＩＧ６２の中において、各アイコンに対応する指標の表示を省略したが、指標については対象領域が１つの場合の説明と同様である。
【０２００】
なお、アイコンの表示位置は、必ずしもアイコン領域ＩＧ６１の中、アイコン領域ＩＧ６２の中でなくてもよい。例えば、上述したようにアイコン同士の重なりを避けるためにアイコンの表示位置をずらす場合などには、アイコン領域ＩＧ６１、アイコン領域ＩＧ６２の外側へはみ出たアイコン表示をしてもよい。
また、アイコンの表示位置をずらす場合などにおいて、アイコン領域ＩＧ６１またはアイコン領域ＩＧ６２の幅を広げることによってアイコンのはみ出しを避けてもよい。
【０２０１】
また、アイコン領域ＩＧ６１およびアイコン領域ＩＧ６２の表示位置は、ライブビュー画像６０ａに重ねて表示する例を説明したが、ライブビュー画像６０ａと別に表示するようにしてもよい。
【０２０２】
図２１（ａ）は、撮像条件の設定画面の例であり、アイコン７４およびアイコン７５を例示する図である。液晶モニタ３６に表示されているライブビュー画像６０ａにおいて、第１領域６１の輪郭が強調表示されているものとする。図１９の場合と同様に、人物６１ａを含む第１領域６１が、撮像条件を設定（変更）する対象領域である。
【０２０３】
アイコン７４は、露出を適正露出よりも高く、または適正露出よりも低く補正するための露出補正値を変更する操作アイコンである。アイコン７５は、露出条件の１つであるシャッター速度（電荷蓄積時間）を速く、または遅く変更する操作アイコンである。
【０２０４】
アイコン７４、７５が表示される位置（画面の左右方向における表示位置）は、撮像条件を設定（変更）する対象領域（図２１（ａ）の例では第１領域６１）の撮像条件に対応する。アイコン７４は露出補正値に対応しており、画面の右端がプラス側の露出補正範囲の上限に対応し、画面の左端がマイナス側の露出補正範囲の下限に対応する。
【０２０５】
図２１（ａ）の例ではアイコン７４が画面の左右方向において中央より左寄りに表示されており、露出補正の設定値は、露出補正範囲の中間値（露出補正ゼロ）よりもマイナス側で、例えば−０．５ＥＶであることを示す。すなわち、第１領域６１についての露出補正設定は、アンダー側である。
【０２０６】
アイコン７５はシャッター速度（電荷蓄積時間）に対応しており、画面の右端が高速側の上限に対応し、画面の左が低速側の下限に対応する。図２１（ａ）の例では、アイコン７５の表示位置は、例えば、上限でも下限でもない位置に対応している。
【０２０７】
アイコン７４およびその指標７４ｍ、アイコン７５およびその指標７５ｍの画面の左右方向における通常の表示位置は、それぞれ同じ位置である。しかしながら、上記実施の形態と同様に、アイコン７４とアイコン７５との重なりを回避するためにアイコン７４またはアイコン７５の表示位置を変更する場合は、制御部３５（表示制御部３５ｆ）は、指標７４ｍまたは指標７５ｍの表示位置を、対応するアイコン７４またはアイコン７５の表示位置と異ならせる。
【０２０８】
図２１（ａ）に例示した画面において、ユーザーによってアイコン７４が左右方向にドラッグ操作された場合、制御部３５（撮像条件設定部３５ｄ）は、ライブビュー画像のうち撮像条件の設定（変更）対象である第１領域６１の露出補正値の調整パラメータを、ドラッグ操作後のアイコン７４の位置に対応する値へ変更する。
【０２０９】
第１領域６１の露出補正値をプラス側へ大きくする場合、撮像条件設定部３５ｃは、第１領域６１の撮像条件のうち、例えば、電荷蓄積時間を上記基準条件の電荷蓄積時間に比べて長くしたり、ゲインを上記基準条件のゲインに比べて上げたりすることにより、露出補正後の撮像条件を決定する。
【０２１０】
また、第１領域６１の露出補正値をマイナス側へ大きくする場合、撮像条件設定部３５ｃは、第１領域６１の撮像条件のうち、例えば、電荷蓄積時間を上記基準条件の電荷蓄積時間に比べて短くしたり、ゲインを上記基準条件のゲインに比べて下げたりすることにより、露出補正後の撮像条件を決定する。
ユーザーは、ライブビュー画像６０ａにおいて第１領域６１の露出が変化する様子を確認できる。
【０２１１】
制御部３５（撮像条件設定部３５ｄ）は、撮像条件の設定（変更）の対象でない領域（第１領域６１以外の他の領域）については、設定されている撮像条件を維持する。
なお、撮像条件の設定（変更）対象でない領域のうち、第１領域６１との境界付近については、上記境界付近における撮像条件の不連続性をぼかすように、画像全体のバランスを考慮して撮像条件を変更してもよい。
【０２１２】
撮像条件設定部３５ｄは、ドラッグ操作後のアイコン７４の位置に対応させて、第１領域６１について露出補正値の調整パラメータを決定して撮像部３２または画像処理部３３に設定する。撮像部３２に設定する理由は、次の撮像時において、露出補正値の変更を撮像素子１００の露出条件の変更によって実現させるためである。また、画像処理部３３に設定する理由は、ライブビュー画像に対して画像処理を施すことによって、露出補正値の変更後の画像を得るためである。
【０２１３】
制御部３５（撮像条件設定部３５ｄ）は、シャッター速度（電荷蓄積時間）についても、アイコン７５により露出条件の設定（変更）の場合と同様に行う。
【０２１４】
図２１（ｂ）は、撮像条件の設定画面を例示する図である。制御部３５は、撮像条件（例えば、露出補正値）の一つを設定（変更）することによって、他の撮像条件（例えば、シャッター速度（電荷蓄積時間））の設定可能な範囲に制限が生じる場合には、図２１（ｂ）に示すように、制限範囲を示す表示７６を表示させる。例えば、露出補正値をプラス側へ変更することに起因してシャッター速度の設定範囲に制限が生じる場合には、制限後のシャッター速度の設定範囲を示す表示７６を、アイコン７５とともに表示させる。
【０２１５】
シャッター速度（電荷蓄積時間）に対応するアイコン７５と、制限後の設定範囲を示す表示７６とにより、ユーザーに対してシャッター速度の設定範囲をわかりやすく伝えることができる。
【０２１６】
撮像条件を変更するための操作アイコンは、図２１（ａ）および図２１（ｂ）で示したようにアイコン７１〜アイコン７３の全てを一度に表示させる代わりに、順番にアイコンを表示させるようにしてもよい。
【０２１７】
図２２（ａ）は、撮像条件の設定画面の例であり、アイコン７３およびその指標７３ｍを例示する図である。液晶モニタ３６に表示されているライブビュー画像６０ａにおいて、第１領域６１の輪郭が強調表示されているものとする。すなわち、人物６１ａ（図６）を含む第１領域６１が、撮像条件を設定（変更）する対象領域である。
【０２１８】
制御部３５は、例えば、表示されているアイコン７３がユーザーによってドラッグ操作された場合に、アイコン７３に加えてアイコン７１およびアイコン７２を表示させる。つまり、制御部３５は、ライブビュー画像６０ａのうち撮像条件の設定（変更）対象である第１領域６１の輝度の調整パラメータを設定（変更）した後で、図２２（ｂ）に示す設定画面を表示させる。
【０２１９】
図２２（ｂ）は、領域に対する撮像条件の設定画面の例であり、新たに表示されたアイコン７１および指標７１ｍと、アイコン７２および指標７２ｍとを例示する図である。ユーザーは、輝度の調整パラメータを設定（変更）した後に表示される図２２（ｂ）の設定画面において、アイコン７１に対応するコントラスト、およびアイコン７２に対応する彩度の変更が可能になる。
なお、アイコン７１〜アイコン７３を表示させる順番は、適宜変更して構わない。
【０２２０】
制御部３５は、図２２（ｂ）のアイコン７１およびアイコン７２のいずれに対してもドラッグ操作が行われないまま所定時間（例えば２秒）が経過した場合、または、アイコン７１〜アイコン７３のうちいずれかのアイコンに対するドラッグ操作後に所定時間（例えば２秒）が経過した場合、アイコン７１および指標７１ｍと、アイコン７２および指標７２ｍの表示を終了させ、アイコン７３およびその指標７３ｍを表示する状態（図２２（ａ）と同様）に戻す。
なお、制御部３５は、レリーズ指示が行われるまで、すなわち操作部材３７を構成する不図示のレリーズボタン、または撮像を指示する表示アイコンが操作されるまでは、アイコン７１および指標７１ｍと、アイコン７２および指標７２ｍの表示を継続するようにしてもよい。
【０２２１】
図２０（ａ）および図２０（ｂ）におけるアイコン領域ＩＧ６１、アイコン領域ＩＧ６２を、左右方向に表示させるようにしてもよい。図２３（ａ）は、撮像条件の設定画面を例示する図である。液晶モニタ３６に表示されているライブビュー画像６０ａにおいて、第１領域６１の輪郭が強調表示されているものとする。
【０２２２】
制御部３５は、撮像条件を設定（変更）する対象領域（本例では第１領域６１）に対応させて、例えば画面の上端のアイコン領域ＩＧ６１内に、第１のアイコン群（アイコン７１、アイコン７２、およびアイコン７３）を左右方向に並ぶように表示させる。アイコン領域ＩＧ６１は吹きだしを有しており、第１領域６１との対応関係をわかりやすくしている。
【０２２３】
また、制御部３５は、撮像条件を設定（変更）する対象の他方の領域（本例では第２領域６２）に対応させて、例えばアイコン領域ＩＧ６１の下に位置するアイコン領域ＩＧ６２内に、第２のアイコン群（アイコン７１、アイコン７２、アイコン７３、およびアイコン７５）を左右方向に並ぶように表示させる。アイコン領域ＩＧ６２は吹きだしを有しており、第２領域６２との対応関係をわかりやすくしている。
【０２２４】
図２３（ａ）の例では、第１領域６１に対応するアイコン領域ＩＧ６１がアクティブ表示されており、他方の領域（第２領域６２）に対応するアイコン領域ＩＧ６２がインアクティブ表示されている。図２０（ａ）および図２０（ｂ）の場合と同様に、制御部３５は、アクティブ表示しているアイコン領域のアイコン群に対する操作を有効にする。操作が有効なアイコン群が操作された場合に行う対象領域に対する撮像条件の設定（変更）は、上述した説明と同様であるので、説明を省略する。
【０２２５】
図２３（ｂ）は、撮像条件の設定（変更）対象の切り替え後の設定画面を例示する図である。液晶モニタ３６に表示されているライブビュー画像６０ａにおいて、第２領域６２の輪郭が強調表示されているものとする。図２３（ｂ）の例では、第２領域６２に対応するアイコン領域ＩＧ６２がアクティブ表示されており、他方の領域（第１領域６１）に対応するアイコン領域ＩＧ６１がインアクティブ表示されている。制御部３５は、アクティブ表示しているアイコン領域のアイコン群に対する操作を有効にする。操作が有効なアイコン群が操作された場合に行う対象領域に対する撮像条件の設定（変更）は、上述した説明と同様であるので、説明を省略する。
【０２２６】
アイコン領域ＩＧ６１、アイコン領域ＩＧ６２は、一つずつ表示させるようにしてもよい。図２４（ａ）は、撮像条件の設定画面を例示する図である。液晶モニタ３６に表示されているライブビュー画像６０ａにおいて、第１領域６１の輪郭が強調表示されているものとする。
【０２２７】
図２４（ａ）において、制御部３５は、撮像条件を設定（変更）する対象領域（本例では第１領域６１）に対応させて、例えば画面の上端に位置するアイコン領域ＩＧ６１内に、第１のアイコン群（アイコン７１、アイコン７２、およびアイコン７３）を左右方向に並ぶように表示させる。アイコン領域ＩＧ６１は吹きだしを有しており、第１領域６１との対応関係をわかりやすくしている。制御部３５（表示制御部３５ｆ）はさらに、切り替えアイコン７６を表示させる。
【０２２８】
制御部３５は、表示しているアイコン領域ＩＧ６１の第１のアイコン群に対する操作を有効にする。操作が有効なアイコン群が操作された場合に行う対象領域に対する撮像条件の設定（変更）は、上述した説明と同様であるので、説明を省略する。
【０２２９】
図２４（ｂ）は、切り替えアイコン７６がタップ操作された場合の撮像条件の設定画面を例示する図である。切り替えアイコン７６がタップ操作された場合、制御部３５は、アイコン領域ＩＧ６１の表示に代えて、撮像条件を設定（変更）する対象の他方の領域（本例では第２領域６２）に対応するアイコン領域ＩＧ６２を表示させる。そして、アイコン領域ＩＧ６２内に、第２のアイコン群（アイコン７１、アイコン７２、アイコン７３、およびアイコン７５）を左右方向に並ぶように表示させる。アイコン領域ＩＧ６２は吹きだしを有しており、第２領域６２との対応関係をわかりやすくしている。図２４（ｂ）では、液晶モニタ３６に表示されているライブビュー画像６０ａにおいて、第２領域６２の輪郭が強調表示されているものとする。
【０２３０】
制御部３５は、表示しているアイコン領域ＩＧ６２の第２のアイコン群に対する操作を有効にする。操作が有効なアイコン群が操作された場合に行う対象領域に対する撮像条件の設定（変更）は、上述した説明と同様であるので、説明を省略する。
【０２３１】
切り替えアイコン７６を用いずに、アイコン領域ＩＧ６１とアイコン領域ＩＧ６２との切り替えを行うようにしてもよい。図２５（ａ）は、撮像条件の設定画面を例示する図である。液晶モニタ３６に表示されているライブビュー画像６０ａにおいて、第１領域６１の輪郭が強調表示されているものとする。
【０２３２】
図２５（ａ）において、制御部３５は、撮像条件を設定（変更）する対象領域（本例では第１領域６１）に対応させて、例えば画面の左寄り位置のアイコン領域ＩＧ６１内に、第１のアイコン群（アイコン７１、アイコン７２、およびアイコン７３）を上下方向に並ぶように表示させる。アイコン領域ＩＧ６１は吹きだしを有しており、第１領域６１との対応関係をわかりやすくしている。
【０２３３】
制御部３５は、表示しているアイコン領域ＩＧ６１の第１のアイコン群に対する操作を有効にする。操作が有効なアイコン群が操作された場合に行う対象領域に対する撮像条件の設定（変更）は、上述した説明と同様であるので、説明を省略する。
【０２３４】
ユーザーは、アイコン領域ＩＧ６１の吹きだし部に対して次のようにドラッグ操作を行う。例えば、指９０で吹き出し部を第２領域６２の表示位置へドラッグする。制御部３５は、このドラッグ操作を検知すると、図２５（ｂ）に例示する設定画面に切り替える。ライブビュー画像６０ａにおいて、第２領域６２の輪郭が強調表示されているものとする。
【０２３５】
図２５（ｂ）の例では、第２領域６２に対応するアイコン領域ＩＧ６２内に、第２のアイコン群（アイコン７１、アイコン７２、アイコン７３およびアイコン７５）を上下方向に並ぶように表示させる。アイコン領域ＩＧ６２は吹きだしを有しており、第２領域６２との対応関係をわかりやすくしている。
制御部３５は、表示しているアイコン領域ＩＧ６２の第２のアイコン群に対する操作を有効にする。操作が有効なアイコン群が操作された場合に行う対象領域に対する撮像条件の設定（変更）は、上述した説明と同様であるので、説明を省略する。
【０２３６】
アイコン領域ＩＧ６１、アイコン領域ＩＧ６２を、左右方向に表示させるようにしてもよい。図２５（ｃ）は、撮像条件の設定画面を例示する図である。液晶モニタ３６に表示されているライブビュー画像６０ａにおいて、第１領域６１の輪郭が強調表示されているものとする。
【０２３７】
図２５（ｃ）において、制御部３５は、撮像条件を設定（変更）する対象領域（本例では第１領域６１）に対応させて、例えば画面の上部に位置するアイコン領域ＩＧ６１内に、第１のアイコン群（アイコン７１、アイコン７２、およびアイコン７３）を左右方向に並ぶように表示させる。アイコン領域ＩＧ６１は吹きだしを有しており、第１領域６１との対応関係をわかりやすくしている。
【０２３８】
制御部３５は、表示しているアイコン領域ＩＧ６１の第１のアイコン群に対する操作を有効にする。操作が有効なアイコン群が操作された場合に行う対象領域に対する撮像条件の設定（変更）は、上述した説明と同様であるので、説明を省略する。
【０２３９】
ユーザーは、アイコン領域ＩＧ６１の吹きだし部に対して次のようにドラッグ操作を行う。例えば、指９０で吹き出し部を第２領域６２の表示位置へドラッグする。制御部３５は、このドラッグ操作を検知すると、図２５（ｄ）に例示する設定画面に切り替える。ライブビュー画像６０ａにおいて、第２領域６２の輪郭が強調表示されているものとする。
【０２４０】
図２５（ｄ）の例では、第２領域６２に対応するアイコン領域ＩＧ６２内に、第２のアイコン群（アイコン７１、アイコン７２、アイコン７３およびアイコン７５）を左右方向に並ぶように表示させる。アイコン領域ＩＧ６２は吹きだしを有しており、第２領域６２との対応関係をわかりやすくしている。
制御部３５は、表示しているアイコン領域ＩＧ６２の第２のアイコン群に対する操作を有効にする。操作が有効なアイコン群が操作された場合に行う対象領域に対する撮像条件の設定（変更）は、上述した説明と同様であるので、説明を省略する。
【０２４１】
制御部３５は、ある領域に対して設定（変更）されている撮像条件と同じ撮像条件を、別の領域に対して設定する（撮像条件のコピー）。例えば、図２５（ａ）に例示した画面において、ユーザーは、例えば、アイコン領域ＩＧ６１を長押し操作（例えば、１秒以上触り続ける）する。制御部３５は、この長押し操作を検知すると、アイコン領域ＩＧ６１の表示態様を変化させ、アイコン領域ＩＧ６１が画面から浮いているかのように表示する。
【０２４２】
ユーザーは、アイコン領域ＩＧ６１の表示態様が変化された状態で、例えば、第２領域６２の表示位置をタップ操作する。制御部３５は、このタップ操作を検知すると、図２５（ｅ）に例示する設定画面に切り替える。ライブビュー画像６０ａにおいて、第２領域６２の輪郭が強調表示されているものとする。
【０２４３】
図２５（ｅ）の例では、第２領域６２に対応するアイコン領域ＩＧ６２内に、第２のアイコン群（アイコン７１、アイコン７２、アイコン７３およびアイコン７５）を上下方向に並ぶように表示させる。アイコン７１〜アイコン７３の上下方向の表示位置は、図２５（ａ）の第１のアイコン群の場合の表示位置と同じである。アイコン領域ＩＧ６２は吹きだしを有しており、第２領域６２との対応関係をわかりやすくしている。
【０２４４】
制御部３５（撮像条件設定部３５ｄ）はさらに、第１領域６１に対する撮像条件と同じ調整パラメータを、第２領域６２用に決定して撮像部３２または画像処理部３３に設定する。撮像部３２に設定する理由は、次の撮像時において、変更内容を撮像素子１００の露出条件の変更によって実現させるためである。また、画像処理部３３に設定する理由は、ライブビュー画像に対して画像処理を施すことによって、変更後の画像を得るためである。
【０２４５】
第２領域６２の第２のアイコン群に含まれるアイコン７１〜アイコン７３は、図２５（ａ）のアイコン領域ＩＧ６１内の第１のアイコン群（アイコン７１、アイコン７２、アイコン７３）に含まれていたアイコンである。
【０２４６】
アイコン７５は、図２５（ａ）のアイコン領域ＩＧ６１内の第１のアイコン群に含まれていなかったアイコンである。制御部３５が、第２領域６２の第２のアイコン群にアイコン７５を含める理由は以下の通りである。
【０２４７】
第２領域６２は、物体検出部３５ａによって検出された自動車６２ａ（図６）を含んでいる。一般に、自動車６２ａは動く可能性がある被写体である。制御部３５は、上述したように、動きのある被写体は被写体ブレが生じる可能性があるので、第２領域６２に対応する第２のアイコン群に、シャッター速度（電荷蓄積時間）の変更に用いるアイコン７５を自動的に含める。制御部３５は、アイコン領域ＩＧ６１（図２５（ａ））内の第１のアイコン群に含まれていないアイコン７５をアイコン領域ＩＧ６２（図２５（ｅ））内の第２のアイコン群に含めたことをユーザーに知らせるため、アイコン７５をポップアップ表示して目立たせる。
制御部３５は、表示しているアイコン領域ＩＧ６２の第２のアイコン群に対する操作を有効にする。
【０２４８】
アイコン領域ＩＧ６１の第１のアイコン群や、アイコン領域ＩＧ６２の第２のアイコン群に表示するアイコンは、ユーザーの操作によって追加することができる。例えば、図２３（ａ）や図２４（ａ）において例示したアイコン領域ＩＧ６１の第１のアイコン群に、シャッター速度（電荷蓄積時間）の変更に用いるアイコン７５を加える例を説明する。
【０２４９】
図２６（ａ）は、撮像条件の設定画面を例示する図である。液晶モニタ３６に表示されているライブビュー画像６０ａにおいて、第１領域６１の輪郭が強調表示されているものとする。
【０２５０】
図２６（ａ）において、制御部３５は、撮像条件を設定（変更）する対象領域（本例では第１領域６１）に対応させて、例えば画面の上端に位置するアイコン領域ＩＧ６１内に、第１のアイコン群（アイコン７１、アイコン７２、およびアイコン７３）を左右方向に並ぶように表示させる。アイコン領域ＩＧ６１は吹きだしを有しており、第１領域６１との対応関係をわかりやすくしている。ユーザーは、例えば、アイコン領域ＩＧ６１を長押し操作（例えば、１秒以上触り続ける）する。制御部３５（表示制御部３５ｆ）は、この長押し操作を検知すると、アイコン領域ＩＧ６１の表示態様を変化させ、アイコン領域ＩＧ６１が画面から浮いているかのように表示するとともに、プラスアイコン７７を表示させる。
【０２５１】
ユーザーがプラスアイコン７７をタップ操作すると、制御部３５は、図２６（ｂ）に例示する設定画面に切り替える。図２６（ｂ）において、アイコン領域ＩＧ６１の表示態様が通常の態様に戻り、追加候補である候補アイコン７４Ａおよび候補アイコン７５Ａを表示する候補アイコン領域７８が表示されている。
【０２５２】
ユーザーが、例えば、アイコン７５Ａをタップ操作すると、制御部３５は、アイコン領域ＩＧ６１の第１のアイコン群に、候補アイコン７５Ａに対応するアイコン７５を加えて表示するとともに、候補アイコン領域７８の表示を終了させる。
【０２５３】
制御部３５は、表示しているアイコン領域ＩＧ６１のアイコン群に対する操作を有効にする。操作が有効なアイコン群が操作された場合に行う対象領域に対する撮像条件の設定（変更）は、上述した説明と同様であるので、説明を省略する。
【０２５４】
なお、制御部３５は、候補アイコン領域７８の候補アイコン７４Ａおよび候補アイコン７５Ａのいずれに対してもタップ操作が行われないまま所定時間（例えば２秒）が経過した場合には、アイコン領域ＩＧ６１の第１のアイコン群にアイコンを追加することなく、候補アイコン領域７８の表示を終了させる。
【０２５５】
制御部３５は、アイコン領域に設けられたつまみアイコン８０がドラッグ操作された場合に、アクティブ表示するアイコン領域の切り替えと、撮像条件の設定（変更）対象の切り替えとを行ってもよい。
【０２５６】
図２７（ａ）〜図２８（ｂ）は、撮像条件の設定画面を例示する図である。図２７（ａ）において、液晶モニタ３６に表示されているライブビュー画像６０ａの第１領域６１の輪郭が強調表示されているものとする。
【０２５７】
制御部３５は、撮像条件を設定（変更）する対象領域（本例では第１領域６１）に対応させて、第１領域６１の左側位置のアイコン領域ＩＧ６１内に、第１のアイコン群（アイコン７１、アイコン７２、およびアイコン７３）を上下方向に並ぶように表示させる。制御部３５（表示制御部３５ｆ）はさらに、アイコン領域ＩＧ６１の画面下部につまみアイコン８０を表示させる。アイコン領域ＩＧ６１は吹きだしを有しており、第１領域６１との対応関係をわかりやすくしている。
【０２５８】
制御部３５は、図２７（ａ）の画面において表示しているアイコン領域ＩＧ６１の第１のアイコン群に対する操作を有効にする。操作が有効なアイコン群が操作された場合に行う対象領域に対する撮像条件の設定（変更）は、上述した説明と同様であるので、説明を省略する。
【０２５９】
ユーザーは、アイコン領域ＩＧ６１のつまみアイコン８０に対して次のようにドラッグ操作を行う。例えば、指９０でつまみアイコン８０を第２領域６２の方向（図２７（ｂ）の例では画面右方向）へドラッグする。制御部３５は、このドラッグ操作を検知するとアイコン領域ＩＧ６１を画面右方向へ移動させ、アイコン領域ＩＧ６１が第１領域６１上に到達した場合に図２７（ｂ）に例示する設定画面に切り替える。図２７（ｂ）のライブビュー画像６０ａにおいて、第２領域６２の輪郭が強調表示されているものとする。
【０２６０】
図２７（ｂ）の例では、第２領域６２に対応するアイコン領域ＩＧ６２内に、第２のアイコン群（アイコン７１、アイコン７２、アイコン７３およびアイコン７５）を上下方向に並ぶように表示させる。アイコン領域ＩＧ６２は吹きだしを有しており、第２領域６２との対応関係をわかりやすくしている。アイコン領域ＩＧ６２の画面下部に表示するつまみアイコン８０は、アイコン領域ＩＧ６１と同様である。
制御部３５は、表示しているアイコン領域ＩＧ６２の第２のアイコン群に対する操作を有効にする。
【０２６１】
ユーザーがアイコン群のアイコンを操作して設定（変更）した撮像条件を、以下のようにキャンセルすることができる。制御部３５は、図２７（ａ）において、アイコン領域ＩＧ６１の隅８１（例えば右上）が折れているかのように表示する。
【０２６２】
図２８（ａ）は、図２７（ａ）のアイコン領域ＩＧ６１の隅８１がドラッグ操作された状態を例示する図である。ユーザーは、アイコン操作によって設定（変更）した撮像条件を基準条件へ戻したい場合に、図２７（ａ）のアイコン領域ＩＧ６１をはがすかのように、隅８１を画面下方向へドラッグ操作する。制御部３５は、図２８（ａ）に例示したドラッグ操作を検出すると、アイコン領域ＩＧ６１の第１のアイコン群により設定（変更）されていた撮像条件をキャンセルする。
【０２６３】
制御部３５は、アイコン領域ＩＧ６２の隅８１に対して同様のドラッグ操作を検出した場合には、図２７（ｂ）のアイコン領域ＩＧ６２の第２のアイコン群により設定（変更）されていた撮像条件をキャンセルする。
【０２６４】
アイコン領域ＩＧ６１の第１のアイコン群や、アイコン領域ＩＧ６２の第２のアイコン群に表示するアイコンは、ユーザーの操作によって削除することができる。図２８（ｂ）は、アイコン領域ＩＧ６１のうちのアイコンの１つが、指９０でスワイプ操作された状態を例示する図である。制御部３５は、例えばアイコン領域ＩＧ６１からアイコン７１を画面外へ掃き出すようにスワイプ操作が行われた場合に、アイコン領域ＩＧ６１からアイコン６１を削除するとともに、アイコン７１に対応する撮像条件をリセットする。
【０２６５】
上記スワイプ操作の代わりに、以下のようにアイコンを削除してもよい。すなわち、制御部３５は、画面内に不図示の削除アイコンを表示させておき、ユーザーが不要なアイコンを上記削除アイコンの表示位置へドラッグ操作した場合に、上記不要とされるアイコンを削除するとともに、そのアイコンに対応する撮像条件をリセットする。
【０２６６】
制御部３５は、アイコン領域ＩＧ６１から削除したアイコンを、変形例８において説明した候補アイコン領域７８（図２６（ｂ））に含めるようにする。これにより、一度削除したアイコンを、ユーザー操作によって、アイコン領域ＩＧ６１の第１のアイコン群や、アイコン領域ＩＧ６２の第２のアイコン群に対して、追加（復帰）することができる。
【０２６７】
制御部３５は、露出条件に対応するアイコン群を表示するアイコン領域ＩＧＡと、画像処理条件に対応するアイコン群を表示するアイコン領域ＩＧＢとに分けて表示する。
【０２６８】
図２９（ａ）および図２９（ｂ）は、撮像条件の設定画面を例示する図である。図２９（ａ）は、専ら露出条件に対応するアイコン群を表示するアイコン領域ＩＧＡを例示し、図２９（ｂ）は、専ら画像処理条件に対応するアイコン群を表示するアイコン領域ＩＧＢを例示する。
【０２６９】
図２９（ａ）において、液晶モニタ３６に表示されているライブビュー画像６０ａの第１領域６１の輪郭が強調表示されているものとする。制御部３５は、撮像条件を設定（変更）する対象領域（本例では第１領域６１）に対応させて、第１領域６１の左側位置のアイコン領域ＩＧＡ内に、アイコン７４およびアイコン７５を上下方向に並ぶように表示させる。制御部３５（表示制御部３５ｆ）はさらに、アイコン領域ＩＧＡの隅８１が折れているかのように表示する。
【０２７０】
制御部３５は、図２９（ａ）の画面において表示しているアイコン７４およびアイコン７５に対する操作を有効にする。操作が有効なアイコン群が操作された場合に行う対象領域に対する撮像条件の設定（変更）は、上述した説明と同様であるので、説明を省略する。また、撮像条件のキャンセル操作も上述した説明と同様であるので、説明を省略する。
【０２７１】
ユーザーは、専ら画像処理条件に対応するアイコン群を表示するアイコン領域ＩＧＢを表示させたい場合に、図２９（ａ）のアイコン領域ＩＧＡを寝かせるかのように、矢印の向きに弧を描くようにスワイプ操作する。
【０２７２】
制御部３５は、図２９（ａ）に例示したスワイプ操作を検出すると、撮像条件を設定（変更）する対象領域（本例では第１領域６１）に対応させて、第１領域６１の上側位置にアイコン領域ＩＧＢを表示させるとともに、アイコン領域ＩＧＢ内にアイコン７１〜アイコン７３を左右方向に並ぶように表示させる（図２９（ｂ））。制御部３５はさらに、アイコン領域ＩＧＢの隅８１が折れているかのように表示する。図２９（ｂ）においても、液晶モニタ３６に表示されているライブビュー画像６０ａの第１領域６１の輪郭が強調表示されているものとする。
【０２７３】
制御部３５は、図２９（ｂ）の画面において表示しているアイコン７１〜アイコン７３に対する操作を有効にする。操作が有効なアイコン群が操作された場合に行う対象領域に対する撮像条件の設定（変更）は、上述した説明と同様であるので、説明を省略する。また、撮像条件のキャンセル操作も上述した説明と同様であるので、説明を省略する。
【０２７４】
ユーザーは、専ら露出条件に対応するアイコン群を表示するアイコン領域ＩＧＡを表示させたい場合には、図２９（ｂ）のアイコン領域ＩＧＢを立てるかのように、矢印の向きに弧を描くようにスワイプ操作する。
【０２７５】
なお、撮像条件を設定（変更）する対象領域を切り替えたい場合、ユーザーは、ライブビュー画像６０ａが表示されている液晶モニタ３６の表示面上で、対象にしたい主要被写体の表示位置をタップ操作する。
【０２７６】
これにより、専ら露出条件に対応するアイコン群を表示するアイコン領域ＩＧＡと、専ら画像処理条件に対応するアイコン群を表示するアイコン領域ＩＧＢとに分けて表示するようにしたので、ユーザーにとってわかりやすく表示させることができる。
【０２７７】
上述した実施の形態および変形例では、ある領域に対して撮像条件を設定（変更）する場合、その領域のみ撮像条件を設定（変更）した。制御部３５は、他の領域と対比させながら撮像条件の設定（変更）を可能にする。図３０（ａ）および図３０（ｂ）は、撮像条件の設定画面を例示する図である。
【０２７８】
例えば、図２９（ｂ）に例示した画面において、ユーザーは、第１領域６１を長押し操作（例えば、１秒以上触り続ける）する。制御部３５は、この長押し操作を検知すると、ライブビュー画像６０ａに重ねて不図示のアイコンメニューを表示する。アイコンメニューは、例えば、アイコン７１〜アイコン７５を含む。ユーザーが、例えば、アイコンメニューのうちアイコン７３をタップ操作すると、制御部３５は、上記アイコンメニューの表示を終了させ、アイコン７３を第１領域に重ねて表示する。この画面の例が図３０（ａ）の設定画面である。
【０２７９】
制御部３５は、図３０（ａ）の設定画面からさらに、図３０（ｂ）の設定画面へ遷移させる。制御部３５は、図３０（ｂ）の設定画面において、第１領域６１に設定する輝度の調整パラメータの値を基準として、第２領域６２などの他の領域に設定する輝度の調整パラメータの値を決定する。
【０２８０】
図３０（ｂ）のスライドバー８２は、対象領域である第１領域６１に対する輝度を変更する操作部材である。スライドバー８３は、対象領域以外の他の領域（第２領域６２など）に対する輝度を変更する操作部材である。例えば、ユーザーが、指９０によってスライドバー８２を左右にドラッグ操作すると、制御部３５は、第１領域６１の輝度の調整パラメータを、ドラッグ操作後のスライドバー８２の位置に対応する値へ変更する。
【０２８１】
制御部３５はさらに、スライドバー８３に対し、例えば、スライドバー８２の操作量と同量、かつ同方向の操作量となるように制御し、第１領域６１以外の他の領域の輝度の調整パラメータを、上記制御後のスライドバー８３の位置に対応する値へ変更する。
【０２８２】
制御部３５は、スライドバー８２、８３に対する操作が行われなくなって所定時間（例えば２秒）が経過した場合に、スライドバー８２、８３およびアイコン７３の表示を終了させ、図２９（ｂ）を表示する状態に戻す。
【０２８３】
これにより、第１領域６１と第１領域６１以外の他の領域との間の輝度差を維持しながら、ライブビュー画像６０ａに対する輝度の調整を行うことが可能になる。
【０２８４】
制御部３５は、領域に対して画像の演出処理設定（変更）を可能にする。図３１（ａ）および図３１（ｂ）は、撮像条件の設定画面を例示する図である。
【０２８５】
例えば、図２９（ｂ）に例示した画面において、ユーザーは、指９０を画面の左端から画面内の方向へスライドさせる操作を行う。制御部３５は、この操作を検知すると、ライブビュー画像６０ａの左端にエフェクト用のパレット８４を出現させる。この画面の例が図３１（ａ）の設定画面である。
【０２８６】
ユーザーが、例えば、指９０でパレット８４を引き出す操作をすると、制御部３５は、引き出したパレット８４の上に「セレクトカラー」、「セピア」、「トイカメラ風」、「モノクローム」、「ミニチュア風」、「絵画調」などの画像に対する演出処理を示すアイコンを表示させる。この画面の例が図３１（ｂ）の設定画面である。
【０２８７】
ユーザーは、アイコンの中から任意のアイコンをタップ操作する。例えば、第１領域６１をパレット８４がカバーする状態で、ユーザーによって「セピア」アイコンがタップ操作された場合、制御部３５は、第１領域６１に対してセピア色に演出する画像処理を第１領域に対して施す。
【０２８８】
制御部３５は、図３１（ｂ）の設定画面においてアイコンがタップ操作された場合、またはいずれのアイコンもタップ操作されないまま所定時間（例えば２秒）が経過した場合、上記パレット８４の表示を終了させる。
これによれば、画像の演出処理設定（変更）を簡単に行うことができる。
【０２８９】
（変形例７）
上述した実施の形態では、撮像部３２と制御部３５とを単一の電子機器として構成したカメラ１を例に説明した。この代わりに、例えば、撮像部３２と制御部３５とを分離して設け、制御部３５から通信を介して撮像部３２を制御する撮像システム１Ｂを構成してもよい。
以下、撮像部３２を備えた撮像装置１００１を、制御部３５を備えた制御装置１００２から制御する例を説明する。
【０２９０】
図３２は、変形例７に係る撮像システム１Ｂの構成を例示するブロック図である。図３２において、撮像システム１Ｂは、撮像装置１００１と、表示装置１００２とによって構成される。撮像装置１００１は、上記実施の形態で説明した撮像光学系３１と撮像部３２とに加えて、第１通信部１００３を備える。また、表示装置１００２は、上記実施の形態で説明した画像処理部３３、ワークメモリ３４、制御部３５、液晶モニタ３６、操作部材３７、不揮発性メモリ３８、および記録部３９に加えて、第２通信部１００４を備える。
【０２９１】
第１通信部１００３および第２通信部１００４は、例えば周知の無線通信技術や光通信技術等により、双方向のデータ通信を行うことができる。
なお、撮像装置１００１と表示装置１００２とを有線ケーブルにより有線接続し、第１通信部１００３および第２通信部１００４が双方向のデータ通信を行う構成にしてもよい。
【０２９２】
撮像システム１Ｂは、制御部３５が、第２通信部１００４および第１通信部１００３を介したデータ通信を行うことにより、撮像部３２に対する制御を行う。例えば、撮像装置１００１と表示装置１００２との間で所定の制御データを送受信することにより、表示装置１００２は、上述したように画像に基づいて、画面を複数の領域に区分けしたり、区分けされた領域に序列をつけたり、区分けした領域ごとに異なる撮像条件を設定したり、各々の領域で撮像された撮像信号を読み出したりする。
【０２９３】
変形例７によれば、撮像装置１００１側で取得され、表示装置１００２へ送信されたライブビュー画像が表示装置１００２の液晶モニタ３６に表示されるので、ユーザーは、撮像装置１００１から離れた位置にある表示装置１００２から、遠隔操作を行うことができる。
表示装置１００２は、例えば、スマートフォンのような高機能携帯電話機２５０によって構成することができる。また、撮像装置１００１は、上述した積層型撮像素子を備える電子機器によって構成することができる。
なお、表示装置１００２の制御部３５に物体検出部３５ａと、領域区分け部３５ｂと、設定部３５ｃと、撮像条件設定部３５ｄと、撮像制御部３５ｅと、ＡＦ演算部３５ｆとを設ける例を説明したが、物体検出部３５ａ、領域区分け部３５ｂ、設定部３５ｃ、撮像条件設定部３５ｄ、撮像制御部３５ｅ、およびＡＦ演算部３５ｆの一部について、撮像装置１００１に設けるようにしてもよい。
【０２９４】
（変形例８）
上述したカメラ１、高機能携帯電話機２５０、またはタブレット端末などのモバイル機器へのプログラムの供給は、例えば図３３に例示するように、プログラムを格納したパーソナルコンピュータ２０５から赤外線通信や近距離無線通信によってモバイル機器へ送信することができる。
【０２９５】
パーソナルコンピュータ２０５に対するプログラムの供給は、プログラムを格納したＣＤ−ＲＯＭなどの記録媒体２０４をパーソナルコンピュータ２０５にセットして行ってもよいし、ネットワークなどの通信回線２０１を経由する方法でパーソナルコンピュータ２０５へローディングしてもよい。通信回線２０１を経由する場合は、当該通信回線に接続されたサーバー２０２のストレージ装置２０３などにプログラムを格納しておく。
【０２９６】
また、通信回線２０１に接続された無線ＬＡＮのアクセスポイント（不図示）を経由して、モバイル機器へプログラムを直接送信することもできる。さらに、プログラムを格納したメモリカードなどの記録媒体２０４Ｂをモバイル機器にセットしてもよい。このように、プログラムは記録媒体や通信回線を介する提供など、種々の形態のコンピュータプログラム製品として供給できる。
【０２９７】
上記では、種々の実施の形態および変形例を説明したが、本発明はこれらの内容に限定されるものではない。本発明の技術的思想の範囲内で考えられるその他の態様も本発明の範囲内に含まれる。
【０２９８】
次の優先権基礎出願の開示内容は引用文としてここに組み込まれる。
日本国特許出願２０１４年第２４５４３３号（２０１４年１２月３日出願）
【符号の説明】
【０２９９】
１…カメラ
１Ｂ…撮像システム
２…電子機器
３２…撮像部
３５…制御部
３５ａ…物体検出部
３５ｂ…領域区分け部
３５ｃ…設定部
３６…液晶モニタ
１００…撮像素子
１００１…撮像装置
１００２…表示装置
【図１】
2019071611.tif 000003
【図２】
2019071611.tif 000004
【図３】
2019071611.tif 000005
【図４】
2019071611.tif 000006
【図５】
2019071611.tif 000007
【図６】
2019071611.tif 000008
【図７】
2019071611.tif 000009
【図８】
2019071611.tif 000010
【図９】
2019071611.tif 000011
【図１０】
2019071611.tif 000012
【図１１】
2019071611.tif 000013
【図１２】
2019071611.tif 000014
【図１３】
2019071611.tif 000015
【図１４】
2019071611.tif 000016
【図１５】
2019071611.tif 000017
【図１６】
2019071611.tif 000018
【図１７】
2019071611.tif 000019
【図１８】
2019071611.tif 000020
【図１９】
2019071611.tif 000021
【図２０】
2019071611.tif 000022
【図２１】
2019071611.tif 000023
【図２２】
2019071611.tif 000024
【図２３】
2019071611.tif 000025
【図２４】
2019071611.tif 000026
【図２５】
2019071611.tif 000027
【図２６】
2019071611.tif 000028
【図２７】
2019071611.tif 000029
【図２８】
2019071611.tif 000030
【図２９】
2019071611.tif 000031
【図３０】
2019071611.tif 000032
【図３１】
2019071611.tif 000033
【図３２】
2019071611.tif 000034
【図３３】
2019071611.tif 000035